(57)【特許請求の範囲】
【請求項１】
ディジタルデータを再生することによってユーザに情報を提供する情報提供装置であって、
前記ディジタルデータには、前記ディジタルデータの次に再生することを許可する複数のディジタルデータを示す次再生情報が含まれ、
サーバから前記ディジタルデータを取得するコンテンツ取得手段と、
前記取得されたディジタルデータを記憶する記憶手段と、
前記記憶手段に記憶されたディジタルデータを再生する旨の再生指示入力を前記ユーザから受け付ける入力受付手段と、
前記再生指示入力を受け付けた場合、前記再生指示入力が示す再生対象のディジタルデータに含まれる前記次再生情報が示すディジタルデータへと遷移させる画面遷移用ボタンを表示する表示手段と、
を備え、
前記表示手段は、前記再生指示入力を受け付けて、１又は複数の前記画面遷移用ボタンからなる画面遷移用ボタン群を表示する際に、前記再生指示入力が示す再生対象のディジタルデータに含まれる前記次再生情報が示す複数のディジタルデータのうち、前記記憶手段に記憶されたディジタルデータへと遷移させる画面遷移用ボタンが所定の通常形式で、かつ、前記記憶手段に記憶されていないディジタルデータへと遷移させる画面遷移用ボタンが非表示の前記画面遷移用ボタン群を表示する、
ことを特徴とする、情報提供装置。
【請求項２】
前記記憶手段に記憶されていないディジタルデータは、前記情報提供装置が受信していないディジタルデータである、
ことを特徴とする、請求項１に記載の情報提供装置。
【請求項３】
前記記憶手段に記憶されていないディジタルデータは、前記情報提供装置のユーザの嗜好を示す嗜好データ、又は、前記ユーザがショップあるいはサービス事業者とサービスの提供を受けることを契約しているか否かを示す会員データ、に基づいて選択されなかったディジタルデータである、
ことを特徴とする、請求項１〜２のいずれか１項に記載の情報提供装置。
【請求項４】
前記記憶手段に記憶されたディジタルデータを削除する制御手段を備え、
前記記憶手段に記憶されていないディジタルデータは、前記制御手段によって削除されたディジタルデータである、
ことを特徴とする、請求項１に記載の情報提供装置。
【請求項５】
前記制御手段は、前記情報提供装置のユーザの嗜好を示す嗜好データ、又は、前記記憶手段に記憶されたディジタルデータの有効期限情報、に基づいてディジタルデータを削除する、
ことを特徴とする、請求項４記載の情報提供装置。
【請求項６】
ディジタルデータを再生することによってユーザに情報を提供する情報提供方法であって、
前記ディジタルデータには、前記ディジタルデータの次に再生することを許可する複数のディジタルデータを示す次再生情報が含まれ、
サーバから前記ディジタルデータを取得するコンテンツ取得ステップと、
前記取得されたディジタルデータを記憶手段に記憶する記憶ステップと、
前記記憶手段に記憶されたディジタルデータを再生する旨の再生指示入力を前記ユーザから受け付ける入力受付ステップと、
前記再生指示入力を受け付けた場合、前記再生指示入力が示す再生対象のディジタルデータに含まれる前記次再生情報が示すディジタルデータへと遷移させる画面遷移用ボタンを表示する表示ステップと、
を有し、
前記表示ステップにおいて、前記再生指示入力を受け付けて、１又は複数の前記画面遷移用ボタンからなる画面遷移用ボタン群を表示する際に、前記再生指示入力が示す再生対象のディジタルデータに含まれる前記次再生情報が示す複数のディジタルデータのうち、前記記憶手段に記憶されたディジタルデータへと遷移させる画面遷移用ボタンが所定の通常形式で、かつ、前記記憶手段に記憶されていないディジタルデータへと遷移させる画面遷移用ボタンが非表示の前記画面遷移用ボタン群を表示する、
ことを特徴とする情報提供方法。
【請求項７】
次に再生することを許可するディジタルデータを示す次再生情報が含まれるディジタルデータを再生することによって、ユーザに情報を提供する情報提供装置のコンピュータを、
サーバから前記ディジタルデータを取得するコンテンツ取得手段、
前記取得されたディジタルデータを記憶する記憶手段、
前記記憶手段に記憶されたディジタルデータを再生する旨の再生指示入力を前記ユーザから受け付ける入力受付手段、
前記再生指示入力を受け付けた場合、前記再生指示入力が示す再生対象のディジタルデータに含まれる前記次再生情報が示すディジタルデータへと遷移させる画面遷移用ボタンを表示させる表示手段、
として機能させるプログラムであって、
前記表示手段は、前記再生指示入力を受け付けて、１又は複数の前記画面遷移用ボタンからなる画面遷移用ボタン群を表示する際に、前記再生指示入力が示す再生対象のディジタルデータに含まれる前記次再生情報が示す複数のディジタルデータのうち、前記記憶手段に記憶されたディジタルデータへと遷移させる画面遷移用ボタンが所定の通常形式で、かつ、前記記憶手段に記憶されていないディジタルデータへと遷移させる画面遷移用ボタンが非表示の前記画面遷移用ボタン群を表示させる、
ことを特徴とする、プログラム。
【発明の詳細な説明】
【技術分野】
【０００１】
本発明は、互いに関連性のあるデータのうち未取得のデータをユーザに明確に認識させるために好適な情報提供装置、情報提供方法、及びプログラムに関する。
【背景技術】
【０００２】
カーナビゲーションシステムのように、動画、静止画、音声、文字情報など様々な種類のコンテンツを配信するサービスが普及している。コンテンツを提供するデータ配信側は、例えば特許文献１のようなカーナビゲーションシステム等、データ受信側（カーナビゲーション車載装置側）であるユーザに該コンテンツを効率的かつ効果的に提供できるような仕組みを模索している。
【０００３】
また、通信手法の１つであるＤＳＲＣ（Dedicated Short Range Communication）を利用して、路側に設置されている路側無線装置を経由し、配信サーバから自動車に搭載している車載器に、例えば周辺の店舗等の情報や広告などの地域情報を配信するサービスが考えられている。車載器はこれらの地域情報を受信するとローカルに保存しておき、もし路側無線装置と通信できない地域に自動車が移動したとしても、保存している地域情報を読み出して再生できるようにすることが検討されている。特許文献２には、保存しているデータ量が増えた場合の対処のひとつとして、メモリに保存した地域情報等のデータ量がメモリ一杯になるまで増加した場合に、優先度を決めてデータを削除する車載器が開示されている。
【先行技術文献】
【特許文献】
【０００４】
【特許文献１】特開２００５−３４５３２５号公報
【特許文献２】特開２００７−１０９０３２号公報
【発明の概要】
【発明が解決しようとする課題】
【０００５】
ところで、車載器がＤＳＲＣ通信エリアの圏外に出たり、ユーザが予めデータの受信条件を設定していたりすると、必ずしも車載器がすべての配信対象のデータを受信しているとは限らない状況が生まれる。例えば、車載器は、データ配信側によって関連性のあるものとしてひとまとめにされたり階層化構造が構成されていたりするデータの集合（コンテンツ）のうち、一部のデータを受信していない（あるいは一部のデータのみ受信している）場合がある。あるいは例えば、互いにリンクを張っているデータのうち片方のデータのみを受信している場合もある。このような場合、コンテンツに含まれるデータのすべてについて、ユーザから再生する指示を受け付けるようにすると、ユーザから再生の指示があったにも関わらずデータを未取得であるために再生できない、という問題が生じてしまう。
【０００６】
本発明は、このような課題を解決するものであり、互いに関連性のあるデータのうち未取得のデータをユーザに明確に認識させるために好適な情報提供装置、情報提供方法、及びプログラムを提供することを目的とする。
【課題を解決するための手段】
【０００７】
本発明の好適な態様である情報提供装置は、ディジタルデータを再生することによってユーザに情報を提供する情報提供装置であって、前記ディジタルデータには、前記ディジタルデータの次に再生することを許可する複数のディジタルデータを示す次再生情報が含まれ、サーバから前記ディジタルデータを取得するコンテンツ取得手段と、前記取得されたディジタルデータを記憶する記憶手段と、前記記憶手段に記憶されたディジタルデータを再生する旨の再生指示入力を前記ユーザから受け付ける入力受付手段と、前記再生指示入力を受け付けた場合、前記再生指示入力が示す再生対象のディジタルデータに含まれる前記次再生情報が示すディジタルデータへと遷移させる画面遷移用ボタンを表示する表示手段と、を備え、前記表示手段は、前記再生指示入力を受け付けて、１又は複数の前記画面遷移用ボタンからなる画面遷移用ボタン群を表示する際に、前記再生指示入力が示す再生対象のディジタルデータに含まれる前記次再生情報が示す複数のディジタルデータのうち、前記記憶手段に記憶されたディジタルデータへと遷移させる画面遷移用ボタンが所定の通常形式で、かつ、前記記憶手段に記憶されていないディジタルデータへと遷移させる画面遷移用ボタンが非表示の前記画面遷移用ボタン群を表示する、ことを特徴とする。
【０００８】
本発明の好適な態様である情報提供方法は、ディジタルデータを再生することによってユーザに情報を提供する情報提供方法であって、前記ディジタルデータには、前記ディジタルデータの次に再生することを許可する複数のディジタルデータを示す次再生情報が含まれ、サーバから前記ディジタルデータを取得するコンテンツ取得ステップと、前記取得されたディジタルデータを記憶手段に記憶する記憶ステップと、前記記憶手段に記憶されたディジタルデータを再生する旨の再生指示入力を前記ユーザから受け付ける入力受付ステップと、前記再生指示入力を受け付けた場合、前記再生指示入力が示す再生対象のディジタルデータに含まれる前記次再生情報が示すディジタルデータへと遷移させる画面遷移用ボタンを表示する表示ステップと、を有し、前記表示ステップにおいて、前記再生指示入力を受け付けて、１又は複数の前記画面遷移用ボタンからなる画面遷移用ボタン群を表示する際に、前記再生指示入力が示す再生対象のディジタルデータに含まれる前記次再生情報が示す複数のディジタルデータのうち、前記記憶手段に記憶されたディジタルデータへと遷移させる画面遷移用ボタンが所定の通常形式で、かつ、前記記憶手段に記憶されていないディジタルデータへと遷移させる画面遷移用ボタンが非表示の前記画面遷移用ボタン群を表示する、ことを特徴とする。
【０００９】
本発明の好適な態様であるプログラムは、次に再生することを許可するディジタルデータを示す次再生情報が含まれるディジタルデータを再生することによって、ユーザに情報を提供する情報提供装置のコンピュータを、サーバから前記ディジタルデータを取得するコンテンツ取得手段、前記取得されたディジタルデータを記憶する記憶手段、前記記憶手段に記憶されたディジタルデータを再生する旨の再生指示入力を前記ユーザから受け付ける入力受付手段、前記再生指示入力を受け付けた場合、前記再生指示入力が示す再生対象のディジタルデータに含まれる前記次再生情報が示すディジタルデータへと遷移させる画面遷移用ボタンを表示させる表示手段、として機能させるプログラムであって、前記表示手段は、前記再生指示入力を受け付けて、１又は複数の前記画面遷移用ボタンからなる画面遷移用ボタン群を表示する際に、前記再生指示入力が示す再生対象のディジタルデータに含まれる前記次再生情報が示す複数のディジタルデータのうち、前記記憶手段に記憶されたディジタルデータへと遷移させる画面遷移用ボタンが所定の通常形式で、かつ、前記記憶手段に記憶されていないディジタルデータへと遷移させる画面遷移用ボタンが非表示の前記画面遷移用ボタン群を表示させる、ことを特徴とする。
【発明の効果】
【００１０】
本発明によれば、互いに関連性のあるデータのうち未取得のデータをユーザに明確に認識させることができる。
【図面の簡単な説明】
【００１１】
【図１】情報提供システムの全体構成を説明するための図である。
【図２】配信サーバの構成を説明するための図である。
【図３】路側無線装置の構成を説明するための図である。
【図４】車載器の構成を説明するための図である。
【図５】配信されるディジタルデータの概要構成を示す図である。
【図６】事業者情報の構成を示す図である。
【図７】コンテンツ情報の構成を示す図である。
【図８】再生条件情報の構成を示す図である。
【図９】有効期限情報の構成を示す図である。
【図１０】提供時間情報の構成を示す図である。
【図１１】対象地点情報の構成を示す図である。
【図１２】情報提供地点情報の構成を示す図である。
【図１３】遷移情報の構成を示す図である。
【図１４】詳細情報の構成を示す図である。
【図１５】駐車場情報の構成を示す図である。
【図１６】運転支援情報の構成を示す図である。
【図１７】嗜好情報の構成を示す図である。
【図１８】構成ＩＤ情報の構成を示す図である。
【図１９】（ａ）と（ｂ）は、ポップアップ表示される画面の構成例である。
【図２０】（ａ）〜（ｃ）は、画面遷移の例を示す図である。
【図２１】（ａ）と（ｂ）は、画面遷移の例を示す図である。
【図２２】（ａ）と（ｂ）は、画面遷移の例を示す図である。
【図２３】嗜好データを設定する画面の構成例である。
【図２４】アップリンク処理を説明するためのフローチャートである。
【図２５】再生処理を説明するためのフローチャートである。
【図２６】ディジタルデータの階層構造の構成例を示す図である。
【図２７】（ａ）〜（ｃ）は、表示画面の構成例を示す図である。
【図２８】（ａ）と（ｂ）は、実施形態２，３において、表示画面の構成例を示す図である。
【図２９】実施形態４において、再生処理を説明するためのフローチャートである。
【図３０】（ａ）と（ｂ）は、画面に表示するダイアログボックスの構成例を示す図である。
【発明を実施するための形態】
【００１２】
以下、本発明の実施形態に係る情報提供システムを、ＩＴＳ（Intelligent Transport Systems）を例に説明する。
【００１３】
（実施形態１）
図１に示すように、ＩＴＳは、道路、駐車場などの車両が通行する場所の近傍に配置された路側無線装置１００と、交通情報や広告などの種々の内容のディジタルデータ１５０を生成して路側無線装置１００に供給する配信サーバ３００と、車両に搭載され、路側無線装置１００との間で通信してユーザ（車両の乗車者）に交通情報や広告等を提供する車載器２００と、を備える。車載器２００と路側無線装置１００との間の通信方法は、例えば、プッシュ配信において一般的に用いられるＤＳＲＣ（Dedicated Short Range Communication）である。
【００１４】
図２に示すように、配信サーバ３００は、入力部３０１、出力部３０２、第１の通信制御部３０３、第２の通信制御部３０４、記憶装置３０５、制御部３０６、ＲＯＭ（Read Only Memory）３０７、ＲＡＭ（Random Access Memory）３０８、システムバス３０９を備える。
【００１５】
入力部３０１は、キーボード、マウス、入力インタフェース等を備え、サーバ管理者からの指示入力や種々のデータの入力等を受け付けて制御部３０６に入力する。
【００１６】
出力部３０２は、表示装置などから構成され、画像データやメッセージデータなどを表示する。
【００１７】
第１の通信制御部３０３は、電話回線、インターネット等の一般通信網ＮＷ１を介して外部装置と交信し、種々の情報を送受信する。
【００１８】
第２の通信制御部３０４は、ＩＴＳ通信網ＮＷ２を介して各路側無線装置１００に接続され、路側無線装置１００に交通情報や広告などのディジタルデータ１５０を送信する。
【００１９】
また、第２の通信制御部３０４は、各路側無線装置１００が車載器２００との交信などにより得た情報を、ＩＴＳ通信網ＮＷ２を介して受信する。例えば、第２の通信制御部３０４が車載器２００から受信した情報は、交通情報等を生成するために用いられる。
【００２０】
記憶装置３０５は、ハードディスク装置等を備え、受信した交通情報や広告などを示す画像データ、音声データ、テキストデータ等を格納する。また、記憶装置３０５は、各路側無線装置１００の位置やアドレスの他、各路側無線装置１００の近傍の地理情報を記憶する。
【００２１】
制御部３０６は、ＣＰＵ（Central Processing Unit）等から構成され、配信サーバ３００全体の動作を制御する。
【００２２】
また、制御部３０６は、記憶装置３０５に格納されている各種情報に基づいて、各路側無線装置１００に配信するディジタルデータ１５０を作成し、第２通信制御部３０４を制御してＩＴＳ通信網ＮＷ２を介して各路側無線装置１００に配信する。尚、制御部３０６が配信するディジタルデータ１５０の構成の詳細については後述する。
【００２３】
ＲＯＭ３０７は、配信サーバ３００全体の動作制御に必要なオペレーティングシステム（ＯＳ）やプログラム等を記憶する。
【００２４】
ＲＡＭ３０８は、制御部３０６のワークエリアとして機能する。
【００２５】
システムバス３０９は、上記各部の間で命令やデータを転送するための伝送経路である。
【００２６】
次に、路側無線装置１００の構成について説明する。路側無線装置１００は、典型的には道路上や駐車場等に設置されるＤＳＲＣの電波ビーコン、光ビーコン等の送受信機を備える。路側無線装置１００は、ＤＳＲＣ方式を用いて交通情報や広告などのディジタルデータ１５０を周囲に発信する。路側無線装置１００は、ユーザが情報を引き出す（プル）のではなく、ユーザが操作しなくてもコンテンツ提供側から自動的に情報をクライアントに送る、いわゆるプッシュ配信によって情報を配信する。路側無線装置１００は、配信対象のディジタルデータ１５０を配信サーバ３００から受信して記憶し、無線送信する。路側無線装置１００の近くを通過する車両の車載器２００は、路側無線装置１００からこのディジタルデータ１５０を受信する。
【００２７】
配信されるディジタルデータ１５０には、例えば交通情報や広告などのほか、ディジタルデータ１５０を再生するための条件（例えばディジタルデータの再生を開始する地理的な位置）を指示するためのデータなどを含めることができる。詳細は後述する。
【００２８】
図３に示すように、路側無線装置１００は、無線通信部１０１、通信制御部１０２、記憶装置１０３、制御部１０４、ＲＯＭ１０５、ＲＡＭ１０６、システムバス１０７を備える。
【００２９】
無線通信部１０１は、電波信号、光信号等の無線信号により路側無線装置１００の近傍を通過する車両に設置された車載器２００との間で情報を交信する。例えば、無線通信部１０１は、配信サーバ３００から提供された交通情報や広告などのディジタルデータ１５０を車載器２００に送信する。また、無線通信部１０１は、車載器２００から送信されてくる車両ＩＤ等の情報を受信する。
【００３０】
通信制御部１０２は、ＩＴＳ通信網ＮＷ２を介して配信サーバ３００に接続され、配信サーバ３００から送信される交通情報や広告などのディジタルデータ１５０を受信して記憶装置１０３に格納する。また、車載器２００から取得した情報を配信サーバ３００に送信する。
【００３１】
記憶装置１０３は、配信サーバ３００から受信した交通情報や広告などのディジタルデータ１５０を格納する。
【００３２】
制御部１０４は、ＣＰＵ等から構成され、路側無線装置１００全体の動作を制御する。
例えば、制御部１０４は、記憶装置１０３に格納されているディジタルデータ１５０を、無線通信部１０１を制御して車載器２００にプッシュ配信する。制御部１０４は、無線通信部１０１により車載器２００から取得した情報を記憶装置１０３に格納する。また、制御部１０４は、トラフィックカウンター（図示せず）などを用いて路側無線装置１００周辺の交通情報を生成して記憶装置１０３に格納し、ＩＴＳ通信網ＮＷ２を介して配信サーバ３００に送信することもできる。
【００３３】
ＲＯＭ１０５は、路側無線装置１００全体の動作制御に必要なオペレーティングシステム（ＯＳ）、プログラム、各種のデータを記憶する。
【００３４】
ＲＡＭ１０６は、制御部１０４のワークエリアとして機能する。
【００３５】
システムバス１０７は、上記各部の間で命令やデータを転送するための伝送経路である。
【００３６】
次に、車載器２００の構成について説明する。車載器２００は典型的には自動車の中に設置される。本実施形態では、車載器２００は、一般的なカーナビゲーション装置と一体に構成され、カーナビゲーションの機能と、路側無線装置１００からプッシュ配信されたディジタルデータ１５０を再生する機能とを備える。ただし、カーナビゲーションの機能を備えない実施形態を採用することもできる。
【００３７】
車載器２００は、自己の位置を判別し、また、路側無線装置１００からプッシュ配信されるディジタルデータ１５０を受信する。例えば、車載器２００は、測定された自己の位置と、受信したディジタルデータ１５０毎に指定される地理的な位置（再生開始位置）とが一致すると、ディジタルデータ１５０を再生することができるが、詳細は後述する。なお、ここで言う一致とは、位置の誤差が所定範囲内に収まっている状態も含む。
【００３８】
図４に示すように、車載器２００は、通信部２０１、音声処理部２０２、出力部２０３、操作部２０４、Ｉ／Ｏ（Input/Output）装置２０５、記憶装置２０６、制御部２０７、ＲＯＭ２０８、ＲＡＭ２０９、システムバス２１０を備える。
【００３９】
通信部２０１は、ＧＰＳ（Global Positioning System）モジュール２０１ａ、ＤＳＲＣ（Dedicated Short Range Communication）モジュール２０１ｂを含む。
【００４０】
ＧＰＳモジュール２０１ａは、複数のＧＰＳ衛星からのＧＰＳ電波を受信し、制御部２０７に供給する。制御部２０７は、ＧＰＳモジュール２０１ａを制御して、車載器２００の現在位置を取得できる。位置は、例えば緯度と経度を用いて表現される。
【００４１】
ＤＳＲＣモジュール２０１ｂは、ＤＳＲＣ方式により路側無線装置１００と通信する。路側無線装置１００を介して配信サーバ３００から車載器２００にデータを送信することを“ダウンリンク”と呼び、路側無線装置１００を介して車載器２００から配信サーバ３００にデータを送信することを“アップリンク”と呼ぶ。
【００４２】
音声処理部２０２は、制御部２０７から入力されたディジタルオーディオ信号をＤ／Ａコンバータ（図示せず）でアナログオーディオ信号に変換して、スピーカ２２２に出力する。また、音声処理部２０２は、マイクロフォン２２３から入力された音声をＡ／Ｄコンバータ（図示せず）でディジタルオーディオ信号に変換して、制御部２０７に入力する。制御部２０７に入力されたディジタルオーディオ信号は公知の音声認識技術により音声認識処理が行われる。これにより、ユーザはナビゲーション音声を聞いたり、ナビゲーションに対し音声を入力することにより所定の指示を行なったりすることができる。
【００４３】
出力部２０３は、ＬＣＤ（Liquid Crystal Display）等のモニターを備え、通信部２０１により取得されたディジタルデータ１５０の再生画像、ナビゲーション画像、テレビ画像、記憶装置２０６等に予め記憶されたマップ画像などを表示する。
【００４４】
操作部２０４は、タッチパネル式入力装置などから構成され、ユーザによる指示入力に基づいて指示入力信号を生成して、制御部２０７に入力する。
【００４５】
Ｉ／Ｏ装置２０５は、ＤＶＤ−ＲＯＭ（Digital Versatile Disk-Read Only Memory）ドライブを含み、所定の地図情報（マップデータ）などを納めたＤＶＤ−ＲＯＭやＣＤ−ＲＯＭからデータを読み出して制御部２０７に入力する。また、Ｉ／Ｏ装置２０５は、速度センサ、走行距離センサ、方向センサ、ブレーキセンサ等のセンサ群２２５の検出信号を取得し、制御部２０７に供給する。
【００４６】
記憶装置２０６は、ハードディスクドライブ（ＨＤＤ）を備え、所定の地図情報、各種設定情報、受信したディジタルデータ１５０などを記憶する。なお、記憶装置２０６は、メモリカードなどの他のメモリを備えていてもよい。制御部２０７は、地図情報を記憶したＤＶＤ−ＲＯＭ等の記憶媒体から随時この地図情報を読み出してもよいし、記録媒体から予めこの地図情報を読み出して記憶装置２０６に書き込んでおく（インストールしておく）ようにしてもよい。
【００４７】
制御部２０７は、ＣＰＵ等から構成され、車載器２００全体の動作を制御する。例えば、制御部２０７は、ＧＰＳモジュール２０１ａを介して受信したＧＰＳ信号に基づいて、車載器２００（自車）の現在位置を判別する。また、制御部２０７は、センサ群２２５に含まれている方向センサの出力をＩ／Ｏ装置２０５を介して取り込み、現在の自車の進行方向を判別する。また、制御部２０７は、距離センサの出力から、自車の走行距離を求める。また、制御部２０７は、ＤＳＲＣモジュール２０１ｂを介して路側無線装置１００から交通情報や広告などのディジタルデータ１５０を受信し、受信したディジタルデータ１５０に含まれている再生開始条件を指定するデータに基づいて再生する。なお、制御部２０７は、コプロセッサ等を備えても良い。
【００４８】
ＲＯＭ２０８は、車載器２００全体の動作制御に必要なオペレーティングシステム（ＯＳ）、プログラム、各種のデータが記録される。
【００４９】
ＲＡＭ２０９は、データやプログラムを一時的に記憶するためのもので、通信部２０１が受信したディジタルデータ１５０、ＤＶＤ−ＲＯＭから読み出したデータ等が保持される。また、制御部２０７は、ＲＡＭ２０９をワークメモリとして使用する。
【００５０】
システムバス２１０は、上記各部を相互に接続し、命令やデータを転送するための伝送経路である。
【００５１】
次に、路側無線装置１００を介して配信サーバ３００から車載器２００に配信されるディジタルデータ１５０の構成の詳細について説明する。
【００５２】
図５は、配信されるディジタルデータ１５０の全体の概要を表す図である。ディジタルデータ１５０は、図６に示す事業者情報５０１、図７に示すコンテンツ情報５０２、図８に示す再生条件情報５０３、図９に示す有効期限情報５０４、図１０に示す提供時間情報５０５、図１１に示す対象地点情報５０６、図１２に示す情報提供地点情報５０７、図１３に示す遷移情報５０８、図１４に示す詳細情報５０９、図１５に示す駐車場情報５１０、図１６に示す運転支援情報５１１、図１７に示す嗜好情報５１２、図１８に示す構成ＩＤ情報５００、及び、拡張用予備領域５１３、の各項目を含む。各項目には固有のＩＤが予め割り当てられている。１つのディジタルデータ１５０は、これらの情報の一部又は全部を格納する１つの“情報グループ”とも言える。
【００５３】
１つのディジタルデータ１５０には上記各項目の全部又は一部が含まれる。つまり、配信されるディジタルデータ１５０は必ずしも上記各項目のすべてを含まなくてもよく、ディジタルデータ１５０の使用目的に応じて上記各項目のうちいずれかを含むように構成すればよい。例えば、ディジタルデータ１５０の内容が店舗の広告であって、その店舗が駐車場を有しているかあるいは付近に利用可能な駐車場があるのであれば、駐車場情報５１０を含んでいることが望ましい。しかし、店舗とは無関係の駐車場内速度案内などであれば、駐車場情報５１０を含む必要はない。ディジタルデータ１５０の提供側（作成者側）は、ディジタルデータ１５０の使用目的に応じて、どの項目にどのような情報を格納すべきかを考慮してディジタルデータ１５０を作成すればよい。
【００５４】
次に、上記項目のそれぞれに格納される情報内容について詳しく説明する。
【００５５】
まず、事業者情報５０１について説明する。図６は、事業者情報５０１に格納される情報の詳細を示す図である。
【００５６】
サービス事業者コード６０１は、当該ディジタルデータに係るサービス事業者を特定するための情報であり、必ず格納しなければならない情報である。典型的には、ＤＳＲＣの運用を管理する機関が、サービス事業者毎にユニークに割り当てている。ここで言うサービス事業者とは、広告主等から受託し制作したディジタルコンテンツを、契約したユーザにＤＳＲＣにより配信する一連のサービスを行う業者のことである。
【００５７】
サービス事業者コード６０１は、すべてのディジタルデータ１５０に格納される。
【００５８】
車載器２００側は、サービス事業者コード６０１を、いわゆるスパム対策のために用いることもできる。具体的には、不正なサービス事業者コード６０１が付与されたディジタルデータ１５０や、サービス事業者コード６０１が付与されていないディジタルデータ１５０、あるいは、ユーザが契約していないサービス事業者に対応するサービス事業者コード６０１が付与されているディジタルデータ１５０などを通信部２０１が受信した場合、制御部２０７は、受信したディジタルデータ１５０を破棄したり、記憶装置２０６内の所定の迷惑データ保存領域（図示せず）に保存したりしてもよい。
【００５９】
また、車載器２００側は、受信したディジタルデータ１５０に所定のサービス事業者コード６０１が付与されているか否かによって、受信したディジタルデータ１５０に対する応答を送信する（あるいは送信しない）ようにしてもよい。具体的には、車載器２００の記憶装置２０６には、ユーザが予め契約を交わしたサービス事業者に割り当てられたサービス事業者コード６０１を示す情報が格納され、この格納された情報が示すサービス事業者コード６０１と同じサービス事業者コード６０１が付与されたディジタルデータ１５０を通信部２０１が受信すると、制御部２０７は、正常に受信したことを示す応答として、通信部２０１に所定のアップリンク情報を路側無線装置１００へ送信させてもよい。
【００６０】
サービス事業者表示用文字列６０２は、サービス事業者名をモニターに表示してユーザに通知するために用いられるテキストデータである。文字数は、モニターに表示する際、改行せず１行で表示できる程度（例えば全角２０文字程度）であることが望ましい。
【００６１】
サービス事業者発話用表音文字列６０３は、サービス事業者名を音声でスピーカに出力してユーザに通知するために用いられる音声データである。サービス事業者発話用表音文字列６０３は、公知のＴＴＳ（Text-to-Speech）システムを用いて音声合成するための所定のフォーマットで作成され、例えば母音、子音、発音記号、イントネーション、抑揚などを指定する情報を含む。
【００６２】
次に、コンテンツ情報５０２の詳細について、図７を用いて説明する。
【００６３】
情報提供企業コード７０１は、１つ以上のディジタルデータ１５０から構成されるディジタルコンテンツの提供元（スポンサー）を示すコードである。典型的には、情報提供企業コード７０１は、サービス事業者によって情報提供企業ごとに予め割り当てられる。例えば車載器２００の制御部２０７は、受信したディジタルデータ１５０に含まれる情報提供企業コード７０１を用いて、ユーザの所望のデータの検索、並び替え、削除等を行うことができる。情報提供企業コード７０１を割り当てる単位は「企業」に限られず、ディジタルコンテンツを提供する任意の団体、法人、個人を単位にしてもよい。
【００６４】
情報提供企業表示用文字列７０２は、ディジタルコンテンツの提供元をモニターに表示してユーザに通知するために用いられるテキストデータである。文字数は、モニターに表示する際、改行せず１行で表示できる程度であることが望ましい。
【００６５】
情報提供企業発話用表音文字列７０３は、ディジタルコンテンツの提供元を音声でスピーカに出力してユーザに通知するために用いられる音声データである。情報提供企業表音文字列７０３は、サービス事業者発話用表音文字列６０３と同様に、ＴＴＳシステムを用いて音声合成するための所定のフォーマットで作成される。
【００６６】
情報コード７０４は、サービス事業者によって、配信するディジタルデータ１５０毎にユニークに割り当てられる識別符号である。識別符号は、例えば数字、文字、記号などを用いて表される。情報内容について、同一視できる範囲で更新した場合には、更新前と更新後のディジタルデータ１５０には、同じ識別符号が割り当てられることが望ましい。この場合、例えば、拡張用予備領域５１３あるいは詳細情報５０９にディジタルデータ１５０のバージョン情報を格納することとし、更新前後で同じ情報コード７０４を付与し、更新前後で異なるバージョン番号を付与するようにしてもよい。
【００６７】
車載器２００の制御部２０７は、受信したディジタルデータ１５０の情報コード７０４（識別符号）に基づいて、当該ディジタルデータ１５０を保存するメモリ領域を決定する。具体的には、制御部２０７は、受信したディジタルデータ１５０からサービス事業者コード６０１と、情報コード７０４（識別符号）とを読み出し、これらと一致するディジタルデータ１５０が記憶装置２０６に保存されている否かをチェックする。その結果、該当するディジタルデータ１５０が保存されている場合（即ち、同じサービス事業者によって同じ識別符号が割り当てられたディジタルデータ１５０が存在する場合）、制御部２０７は、同じメモリ領域に新たに受信したディジタルデータ１５０を格納する（つまり、データを上書きする）。一方、該当するディジタルデータ１５０が保存されていない場合、制御部２０７は、記憶装置２０６の別のメモリ領域に新たに受信したディジタルデータ１５０を格納する。
【００６８】
情報表示テキスト７０５は、ディジタルコンテンツ名をモニターに表示してユーザに通知するために用いられるテキストデータである。テキストの文字数は、モニターに表示する際、改行せず１行で表示できる程度であることが望ましい。典型的には、情報表示テキスト７０５はディジタルデータ１５０の表題（タイトル）である。ユーザは、モニターに表示される情報表示テキスト７０５を見て、所望のディジタルデータ１５０を車載器２００に検索、並び替え、保存、削除等を指示することができる。
【００６９】
情報表音文字列７０６は、ディジタルコンテンツ名を音声でスピーカに出力してユーザに通知するために用いられる音声データである。情報表音文字列７０６は、情報提供企業表音文字列７０３と同様に、ＴＴＳシステムを用いて音声合成するための所定のフォーマットで作成される。
【００７０】
嗜好データカテゴリ７０７は、ディジタルデータ１５０を所定の分類方法でカテゴリ分けするために用いられる情報である。本実施形態では、１つのディジタルデータ１５０を複数のカテゴリに分類することができる。例えば、ディジタルコンテンツが“持ち帰り可能な和食レストラン”の広告である場合、そのディジタルコンテンツを構成するディジタルデータ１５０を、第１のカテゴリ“レストラン”、及び、第２のカテゴリ“テイクアウト”、といったように複数のカテゴリに分類してもよい。また、上位の主カテゴリ“レストラン”、及び、下位の副カテゴリ“和食”、といったようにツリー構造をもつ分類の仕方でもよい。本実施形態では、嗜好データカテゴリ７０７は９６ビットのデータ領域から構成され、１つのカテゴリにつき１ビットが対応し、各ビットのＯＮ／ＯＦＦを設定することにより９６種類のカテゴリ分けを行うことができる。ただし、このカテゴリ数は例示に過ぎず、任意の種類に分けてもよいことは言うまでもない。
【００７１】
例えば車載器２００の制御部２０７は、受信したディジタルデータ１５０に含まれる嗜好データカテゴリ７０７を用いて、ユーザの所望のデータの検索、並び替え、削除等を行うことができる。例えば、制御部２０７は、記憶装置２０６に記憶されたディジタルデータ１５０の嗜好データカテゴリ７０７と、ユーザが予め設定した嗜好データ（ユーザの嗜好を示すデータ）とを比較して、ユーザの嗜好に適合しないカテゴリに分類されるディジタルデータ１５０を記憶装置２０６から削除することができる。
【００７２】
次に、再生条件情報５０３の詳細について、図８を用いて説明する。
【００７３】
表示／保存コード８０１は、受信したディジタルデータ１５０を、車載器２００が下記パターンＡ又はパターンＢのどちらの手法で扱うべきかを示す情報である。
【００７４】
（パターンＡ）ディジタルデータ１５０を、ＤＳＲＣ通信エリア外でもユーザが利用可能なディジタルコンテンツとして、記憶装置２０６に記憶する。
【００７５】
（パターンＢ）ディジタルデータ１５０を、受信後、直ちに再生する。
【００７６】
制御部２０７は、上記パターンＡを採用する場合、受信したディジタルデータ１５０を再生しないで記憶装置２０６に保存しておき、ユーザから再生を開始する指示があると再生する。ただし、上記パターンＢを採用する場合にも、再生後、ディジタルデータ１５０を記憶装置２０６に記憶するようにしてもよい。
【００７７】
再生条件コード８０２は、受信したディジタルデータ１５０の情報提供地点情報５０７で指定される情報提供エリア内において、車載器２００がカーナビゲーションシステムによる道案内等を行っている最中であるためディジタルデータ１５０を再生できない（あるいは再生するに相応しくない）場合の挙動を規定する情報である。例えば、「ディジタルデータ１５０を受信したとき、カーナビゲーションシステムによる道案内画面と音声の再生中であったり、交差点のすぐ近くを走行中であるためディジタルデータ１５０を再生するに相応しくないタイミングであると推定されたりした場合の挙動を示すフラグが格納される。再生条件コード８０２は、情報提供地点情報５０７で中心と半径が指定される情報提供エリア内でカーナビゲーションシステムによる道案内等を行っている等の理由でディジタルデータ１５０を再生できなかったとき、すなわちその道案内が終了した時点ではすでに情報提供エリアから出てしまっていたときに、そのディジタルデータ１５０の再生を行うか否かを指定する。
【００７８】
次に、有効期限情報５０４の詳細について、図９を用いて説明する。
【００７９】
ここで言う有効期限とは、車載器２００がディジタルデータ１５０を再生することが許可される期間を指す。例えば、制御部２０７は、有効期限の切れたディジタルデータ１５０が記憶装置２０６に格納されていても再生しないようにすることができる。ただし、制御部２０７は、設定された有効期限に関わらず、ディジタルデータ１５０を再生してもよい。
【００８０】
開始日時９０１は、ディジタルデータ１５０の有効期限の開始日時である。終了日時９０２は、ディジタルデータ１５０の有効期限の終了日時である。
【００８１】
例えば開始日時９０１と終了日時９０２は、年、月、日、時、分、秒、を単位として設定される。
【００８２】
開始日時９０１で指定される日時から終了日時９０２で指定される日時までが、ディジタルデータ１５０の有効期間である。つまり、ユーザは、ディジタルコンテンツを、この有効期間内においてのみ、閲覧可能である。制御部２０７は、現在日時が有効期間内であればディジタルデータ１５０を再生してもよいが、有効期間外であれば再生しない。なお、後述するように、制御部２０７は、現在ディジタルデータ１５０の有効期間内であって、且つ、予め決められた再生開始条件を満たす場合に、ディジタルデータ１５０を再生する。
【００８３】
ただし、ディジタルコンテンツの中には、一旦車載器２００が受信すると特に有効期限を定めずにユーザによる閲覧を可能とするものがあってもよい。この場合には、開始日時９０１と終了日時９０２のデータ領域にＮＵＬＬ値を予め設定したり、有効期限が定められていないことを示す所定値を予め設定したりすればよい。
【００８４】
制御部２０７は、記憶装置２０６に記憶されたディジタルデータ１５０の有効期限情報５０４をチェックする。そして、制御部２０７は、現在日時が有効期間を過ぎている場合、言い換えれば、現在日時が有効期間外であって終了日時より後である場合には、このディジタルデータ１５０を削除することが望ましい。ただし、制御部２０７は、現在日時が有効期間外であって開始日時より前である場合には、このディジタルデータ１５０を削除しないことが望ましい。
【００８５】
次に、提供時間情報５０５の詳細について、図１０を用いて説明する。
【００８６】
営業時間１００１は、情報提供企業コード７０１で示される提供元が、予め営業時間を定めている店舗等である場合、その店舗等が営業しておりユーザにサービスを提供可能な時間帯を示す情報である。
【００８７】
本実施形態では、営業時間１００１は、各曜日について、１時間単位で管理される。例えば、曜日毎に、0:00〜0:59、1:00〜1:59、…等の時間帯にそれぞれ１ビットを割り当て、ビットのＯＮ／ＯＦＦで営業時間内か営業時間外かを表現する。各時間帯の決め方は任意であり、１５分毎、３０分毎などに時間帯を区切ってそれぞれビットを割り当てるようにしてもよい。
【００８８】
なお、営業時間１００１は、上述の有効期限情報５０４における開始日時９０１と終了日時９０２と同様に、営業開始時間と営業終了時間を、例えば時、分、秒を単位として記述する形式であってもよい。
【００８９】
制御部２０７は、ディジタルデータ１５０ごとに予め定義される再生開始条件を満たすと判別した場合であって、現在日時が営業時間１００１で指定される日時に含まれる場合に、例えば後述する情報提供地点情報５０７に格納されるポップアップ用画像データ１２０５を再生してポップアップ表示させ、そうでない場合に再生しない（ポップアップ表示しない）。なお、ユーザから再生する旨の指示が合った場合であって、現在日時が営業時間１００１で指定される日時に含まれる場合に、例えば後述する対象地点情報５０６に格納されるメイン画像データ１１０４を再生して表示させ、そうでない場合に再生しない（表示しない）ようにすることもできる。なお、メイン画像データ１１０４については、現在日時が営業時間１００１で指定される日時に含まれない場合でも再生してもよい。
【００９０】
情報提供時間１００２は、ディジタルデータ１５０を再生してもよい時間帯を示す情報である。情報提供時間１００２は、ディジタルコンテンツが、例えば提供元が午前中にのみ提供したいと希望する情報や、ランチタイムにのみ提供したいと希望する情報を含む場合などに設定される。
【００９１】
本実施形態では、情報提供時間１００２は、営業時間１００１と同様に、各曜日について、１時間単位で管理され、各時間帯にそれぞれ１ビットを割り当ててビットのＯＮ／ＯＦＦで提供時間内か提供時間外かを表現する。
【００９２】
例えば、広告主は、第１の時間帯（ランチタイムなど）を情報提供時間１００２に設定した第１のディジタルデータと、第２の時間帯（ディナータイムなど）を情報提供時間１００２に設定した第２のディジタルデータと、から構成されるディジタルコンテンツをサービス事業者に配信してもらう。このディジタルコンテンツを受信した車載器２００の制御部２０７は、現在時刻が第１の時間帯に含まれれば第１のディジタルデータの情報提供地点情報５０７に含まれるデータを再生し、現在時刻が第２の時間帯に含まれれば第２のディジタルデータの情報提供地点情報５０７に含まれるデータを再生する。このようにすれば、車載器２００は、現在時刻に相応しい情報がどれかを逐次推測してユーザに提供することができる。
【００９３】
次に、対象地点情報５０６の詳細について、図１１を用いて説明する。
【００９４】
対象地点とは、典型的には、ユーザに商品・役務を提供する者であって事業者情報５０１に規定されるサービス事業者以外の者（以下「ショップ」と呼ぶ）が、ユーザに商品・役務を提供する所定の場所のことである。ショップが店舗を構えている場合、店舗の場所を指す。ただし、対象地点として任意の地点を設定することができる。
【００９５】
対象地点情報５０６には、文字データ、画像データ、音声データが含まれる。文字データには、対象地点表示テキスト１１０２と表示用文字データ１１０３がある。画像データには、静止画像データとしてメイン画像データ１１０４とアイコン画像データ１１１１が、動画像としてビデオデータ１１０８がある。音声データには、ＴＴＳ言語データ１１０５と圧縮音声データ１１０６がある。
【００９６】
対象地点情報５０６に含めることができる静止画像には、ユーザによる再生開始の指示があった場合に再生されるメイン画像と、ユーザによる再生開始の指示に関わらず地図などと共にナビゲーション画面に簡易表示されるアイコン画像とがある。
【００９７】
対象地点座標１１０１は、ショップの場所を緯度・経度で表した情報である。対象地点座標１１０１には、緯度・経度を日本測地系と世界測地系のどちらで表現するかを指定する測地系識別フラグも含まれる。車載器２００の制御部２０７は、対象地点座標１１０１に緯度・経度が設定されたディジタルデータ１５０を再生するとき、対象地点座標１１０１が示す位置をカーナビゲーションによる目的地や経由地に設定するためのボタン等を出力部２０３にモニターへ表示させ、この位置をユーザからの指示入力に応じて目的地や経由地に設定することができる。
【００９８】
例えば、対象地点座標１１０１で指定される地図上の位置には、上述のアイコン画像が表示される。
【００９９】
対象地点表示テキスト１１０２は、ショップ名をモニターに表示してユーザに通知するために用いられるテキストデータである。テキストの文字数は、モニターに表示する際、改行せず１行で表示できる程度であることが望ましい。
【０１００】
表示用文字データ１１０３は、ショップについての補足説明等をモニターに表示してユーザに通知するために用いられるテキストデータである。テキストの文字数は、最大でも全角１０００文字程度とする。制御部２０７は、ディジタルデータ１５０の一覧をモニターに表示させる際、先頭から１２０文字程度を１ページ目として表示させ、順次２ページ目、３ページ目、…というようにページ送りしたりスクロールしたりして表示させる。
【０１０１】
メイン画像データ１１０４は、所定の画像形式、所定の画像サイズ、所定の色数で作成されたメイン画像のデータ本体である。画像形式には、ＪＰＥＧ（Joint Photographic Experts Group）、ＧＩＦ（Graphics Interchange Format）、ＰＮＧ（Portable Network Graphics）、ビットマップ、などがある。操作部２０４がユーザから再生開始の指示を受け付けると、制御部２０７は、メイン画像データ１１０４を読み出して表示部２０３にモニターへ表示させる。メイン画像の表示位置は任意である。
【０１０２】
このメイン画像データ１１０４には、メイン画像のフォーマットを指定する情報である画像形式識別フラグが含まれる。
【０１０３】
ＴＴＳ言語データ１１０５は、ＴＴＳ形式で作成される発話用の音声のデータ本体である。
【０１０４】
このＴＴＳ言語データ１１０５には、言語識別フラグと音声形式識別フラグが含まれる。言語識別フラグは、日本語、英語などを区別するためのフラグである。音声形式識別フラグは、日本語表音文字列、外国語表音文字列などを区別するためのフラグである。
【０１０５】
圧縮音声データ１１０６は、所定の圧縮形式で作成された音声のデータ本体である。圧縮形式には、ＩＭＡ−ＡＤＰＣＭ（Interactive Multimedia Association - Adaptive Differential Pulse Code Modulation）、ＭＰ３（Moving Picture Experts Group Audio Layer-3）、ＡＡＣ（Advanced Audio Coding）、ＣＥＬＰ（Code Excited Linear Prediction）、ＰＣＭ（Pulse Code Modulation）などがある。
【０１０６】
この圧縮音声データ１１０６には、圧縮音声データ１１０６のフォーマットを指定する情報である圧縮音声形式識別フラグが含まれる。
【０１０７】
音声再生順１１０７は、対象地点情報５０６に音声データとしてＴＴＳ言語データ１１０５と圧縮音声データ１１０６の両方が含まれている場合、どの順番で再生するかを指定する情報である。例えば、音声再生順１１０７には、先に圧縮音声データ１１０６を再生してその後ＴＴＳ言語データ１１０５を再生することを示すフラグ値「０」、又は、先にＴＴＳ言語データ１１０５を再生してその後圧縮音声データ１１０６を再生することを示すフラグ値「１」が設定される。
【０１０８】
例えば、ＴＴＳ言語データ１１０５にセリフの音声を、圧縮音声データ１１０６にいわゆるサウンドロゴの音声を、それぞれ格納しておき、音声再生順１１０７にフラグ値「０」をセットしておくと、まずサウンドロゴが再生され、その後セリフが流れる。
【０１０９】
ビデオデータ１１０８は、所定の圧縮形式で作成された動画像のデータ本体である。圧縮形式には、ＭＰＥＧ４（Moving Picture Experts Group Layer-4）などがある。
【０１１０】
このビデオデータ１１０８には、ビデオデータ１１０８のフォーマットを指定する情報であるビデオ形式識別フラグが含まれる。
【０１１１】
表示用文字データ１１０３、メイン画像データ１１０４、ＴＴＳ言語データ１１０５、圧縮音声データ１１０６、ビデオデータ１１０８を総称して「メインコンテンツデータ」と呼ぶことがある。
【０１１２】
ＵＲＬ（Uniform Resource Locator）１１０９は、インターネット上のウェブページを指定する記述子を格納する。典型的には、ショップが開設しているウェブページを指定する記述子であるが、記述子による指定先（リンク先）は限定されない。ＵＲＬ１１０９が設定されているディジタルデータ１５０を再生する場合、制御部２０７は、ＵＲＬ１１０９に設定されたリンク先にページをジャンプするためのボタンを表示させ、ユーザの要求に応じてページをジャンプさせることができる。
【０１１３】
提携駐車場情報１１１０は、ショップが提携している駐車場に関する情報であり、後述する駐車場情報５１０の駐車場ＩＤ１５０１を用いて表される。例えば、ショップが提携している駐車場がある場合、その駐車場の固有の駐車場ＩＤ１５０１を提携駐車場情報１１１０に格納する。
【０１１４】
アイコン画像データ１１１１は、所定の画像形式、所定の画像サイズ、所定の色数で作成されたアイコン画像のデータ本体である。車載器２００の記憶装置２０６には、地図記号、道路標識などを表す画像を予め記憶しているが、ショップが独自のアイコン画像をナビゲーション画面等に表示させたい場合には、アイコン画像データ１１１１をディジタルデータ１５０に格納して配信することもできる。
【０１１５】
なお、対象地点情報５０６に、対象地点表示テキスト１１０２、メイン画像データ１１０４、ＴＴＳ言語データ１１０５（又は圧縮音声データ１１０６）、ビデオデータ１１０８のうち２つ以上が含まれている場合、制御部２０７は、それらのデータの再生を同じタイミングで開始することが望ましい。
【０１１６】
次に、情報提供地点情報５０７の詳細について、図１２を用いて説明する。
【０１１７】
情報提供地点情報５０７には、対象地点情報５０６と同様に、再生用の画像データと音声データが含まれる。対象地点情報５０６に格納される画像データと音声データは、主にユーザによる再生開始の指示があったときに再生される。これに対し、情報提供地点情報５０７に格納される画像データと音声データは、主に車載器２００が再生地点に到達したときに再生される。
【０１１８】
再生地点は、情報提供地点情報５０７に格納された音声データ、画像データの再生を開始する場所のことである。例えば、車載器２００が静止画像データを格納したディジタルデータ１５０を受信し、この車載器２００を搭載した車両が再生地点に到達すると、車載器２００のモニターには静止画像データがポップアップ表示される。言い換えれば、車両が再生地点に到達しないと静止画像データはポップアップ表示されない。ただし、後述するように、車両が再生地点に到達したにも関わらず、何らかの理由により再生できなかった場合には、ユーザから再生する指示があったときに再生することができる。
【０１１９】
本実施形態では、再生地点として最大５箇所の場所を指定することができる。ただし、４箇所以下、あるいは、６箇所以上の場所を指定できる実施形態を採用することもできることは言うまでもない。
【０１２０】
再生地点は、緯度・経度で表される。再生地点は、１つの緯度・経度に対応する点を、いわばピンポイントで指定することができるだけでなく、ある程度の広さをもつ領域（以下「情報提供エリア」と呼ぶ）として指定することもできる。本実施形態では、緯度・経度で指定される地点を中心とし、所定距離を半径とする円で含まれる情報提供エリア内を、再生地点とすることができる。つまり、車載器２００を搭載した車両がこの情報提供エリア内のどこかに入れば、ディジタルデータ１５０が再生される。
【０１２１】
なお、情報提供エリアの形状は円に限られず、楕円、四角形など、任意の図形で囲まれる領域であってもよい。
【０１２２】
情報提供中心座標１２０１は、情報提供エリアの中心座標であり、緯度・経度を用いて表される。情報提供中心座標１２０１には、対象地点座標１１０１と同様に、緯度・経度を日本測地系と世界測地系のどちらで表現するかを指定する測地系識別フラグも含まれる。
【０１２３】
情報提供半径１２０２は、情報提供エリアを定める円の半径であり、メートルを単位として表される。
【０１２４】
１組の情報提供中心座標１２０１と情報提供半径１２０２によって、１つの情報提供エリアが定まる。
【０１２５】
ディジタルデータ１５０に情報提供中心座標１２０１が含まれ且つ情報提供半径１２０２が含まれない場合、再生地点は、情報提供中心座標１２０１で指定される地点である。車載器２００を搭載した車両がこの地点を通過すれば、ディジタルデータ１５０が再生される。
【０１２６】
情報提供方向１２０３は、緯度や経度などを用いて、あるいは、例えば東西南北や１６方位程度のおおまかな方向を用いて表される。情報提供方向１２０３が設定されているディジタルデータ１５０は、車載器２００が再生地点を情報提供方向１２０３が示す方向に移動している場合に再生される。つまり、車載器２００が再生地点を情報提供方向１２０３が示す方向ではない方向に移動している場合には再生されない。
【０１２７】
ただし、左右２２．５度程度の反応角度を設定し、自車の進行方向と情報提供方向１２０３が示す方向との差が反応角度以内であれば、両者は一致するとみなして、ディジタルデータ１５０を再生することが望ましい。
【０１２８】
なお、制御部２０７は、センサ群２２５が備える方向センサを用いて自車の進行方向を判別することができる。また、方向センサを備えなくても、制御部２０７は、ある時刻Ｔ１における自車の位置と、別の時刻Ｔ２における自車の位置とを結ぶ方向ベクトルから自車の進行方向を判別することもできる。
【０１２９】
情報提供道路種別１２０４は、一般道路、高速道路、一方通行など、道路の種別を表す情報である。情報提供道路種別１２０４が設定されているディジタルデータ１５０は、車載器２００が情報提供道路種別１２０４の示す道路を通過する場合に再生される。つまり、車載器２００が再生地点に到達しても、情報提供道路種別１２０４の示す道路ではない道路を通過する場合には再生されない。
【０１３０】
上記の情報提供中心座標１２０１、情報提供半径１２０２、情報提供方向１２０３、情報提供道路種別１２０４のうちいずれか１つ、もしくは、これらのうち２つ以上の組み合わせによって、ディジタルデータ１５０の再生開始条件が設定される。ショップ（又はサービス事業者）は、自由に再生開始条件を設定することができる。例えば、情報提供中心座標１２０１と情報提供半径１２０２と情報提供方向１２０３が設定されている場合、これら３つの条件をすべて満たすこと（論理積；ＡＮＤ）が再生開始条件となる。例えば、情報提供中心座標１２０１と情報提供半径１２０２が設定され情報提供方向１２０３が設定されていない場合、情報提供中心座標１２０１と情報提供半径１２０２の２つの条件を満たすこと（ＡＮＤ）が再生開始条件となる。つまり、制御部２０７は、情報提供中心座標１２０１、情報提供半径１２０２、情報提供方向１２０３、情報提供道路種別１２０４のうち設定されているもの同士の論理積をとって、再生開始条件とする。
【０１３１】
ポップアップ用画像データ１２０５は、所定の画像形式、所定の画像サイズ、所定の色数で作成された画像データ本体である。画像形式には、ＪＰＥＧ、ＧＩＦ、ＰＮＧ、ビットマップ、などがある。画像サイズは、典型的にはメイン画像データ１１０４よりも小さいサイズである。制御部２０７は、所定の再生開始条件が満たされたと判別すると、ポップアップ用画像データ１２０５を読み出して表示部２０３にモニターへ表示させる。画像の表示位置は任意であるが、典型的には画面の中央付近である。ポップアップ用画像データ１２０５には、メイン画像データ１１０４と同様に、画像のフォーマットを指定する情報である画像形式識別フラグが含まれる。
【０１３２】
ポップアップ用ＴＴＳ言語データ１２０６は、ＴＴＳ形式で作成される発話用の音声のデータ本体である。ポップアップ用ＴＴＳ言語データ１２０６には、ＴＴＳ言語データ１１０５と同様に、言語識別フラグと音声形式識別フラグが含まれる。
【０１３３】
ポップアップ用圧縮音声データ１２０７は、所定の圧縮形式で作成された音声のデータ本体である。圧縮形式には、ＩＭＡ−ＡＤＰＣＭ、ＭＰ３、ＡＡＣ、ＣＥＬＰ、ＰＣＭなどがある。ポップアップ用圧縮音声データ１２０６には、圧縮音声データ１１０６と同様に、ポップアップ用圧縮音声データ１２０６のフォーマットを指定する情報である圧縮音声形式識別フラグが含まれる。
【０１３４】
ポップアップ用画像データ１２０５、ポップアップ用ＴＴＳ言語データ１２０６、ポップアップ用圧縮音声データ１２０７を総称して「ポップアップ用コンテンツデータ」と呼ぶことがある。
【０１３５】
音声再生順１２０８は、音声再生順１１０７と同様に、情報提供地点情報５０７に音声データとしてポップアップ用ＴＴＳ言語データ１２０６とポップアップ用圧縮音声データ１２０７の両方が含まれている場合、どの順番で再生するかを指定する情報である。
【０１３６】
１つの再生地点には、１組の情報提供中心座標１２０１と情報提供半径１２０２と情報提供方向１２０３と情報提供道路種別１２０４とポップアップ用画像データ１２０５とポップアップ用ＴＴＳ言語データ１２０６とポップアップ用圧縮音声データ１２０７と音声再生順１２０８の組み合わせ（再生地点データ）が対応付けられる。上述のように、本実施形態では、１つのディジタルデータ１５０につき、最大で５つの再生地点を設定することができ、それぞれの再生地点ごとに再生地点データを格納できる。
【０１３７】
例えば、ショップのある場所に上り車線を通って接近する場合と下り車線を通って接近する場合とで、上り車線用の駐車場案内と下り車線用の駐車場案内といったように異なるディジタルコンテンツをユーザの手を煩わすことなく視聴してもらうことが可能である。
【０１３８】
情報提供地点情報５０７に、ポップアップ用画像データ１２０５とポップアップ用ＴＴＳ言語データ１２０６（又はポップアップ用圧縮音声データ１２０７）の両方が含まれている場合、制御部２０７は、これらのデータの再生を同じタイミングで開始することが望ましい。
【０１３９】
図１９（ａ）は、ポップアップ表示される画面の構成例である。制御部２０７は、情報提供地点情報５０７が格納されているディジタルデータ１５０を受信し、再生開始条件が満たされたと判別すると、ポップアップ用画像データ１２０５とポップアップ用ＴＴＳ言語データ１２０６とポップアップ用圧縮音声データ１２０７とを再生する。モニターにはポップアップ画像１９０１が表示され、スピーカからは再生音が出力される。例えば、ポップアップ用圧縮音声データ１２０７にショップのジングルが格納され、ポップアップ用ＴＴＳ言語データ１２０６にショップの名前等を発音する音声が格納され、音声再生順１２０８にはポップアップ用圧縮音声データ１２０７、ポップアップ用ＴＴＳ言語データ１２０６の順に再生する旨の情報が格納されているとする。この場合、制御部２０７は、まずショップのジングルを再生し、その後、ショップの名前を発音する音声を再生する。
【０１４０】
上述の説明では、ポップアップ用コンテンツデータとしてポップアップ用画像データ１２０５、ポップアップ用ＴＴＳ言語データ１２０６、ポップアップ用圧縮音声データ１２０７のすべてがディジタルデータ１５０に格納されていることを前提にしているが、ポップアップ用画像データ１２０５のみ、あるいはポップアップ用ＴＴＳ言語データ１２０６のみ等、これらすべてを有していない場合もある。
【０１４１】
制御部２０７は、図１９（ｂ）に示すように、ポップアップで表示された情報より更に詳しい情報を再生する旨の指示入力をユーザから受け付けるボタン１９０２と、ポップアップ画像１９０１に対応するディジタルデータ１５０をお気に入りグループに追加する旨の指示入力をユーザから受け付けるボタン１９０３と、ポップアップで表示された画像に対応するショップをカーナビゲーションシステムによる目的地あるいは経由地に設定する旨の指示入力をユーザから受け付けるボタン１９０４と、を表示させてもよい。
【０１４２】
以下の説明では、ボタンが表示されている画像領域に相当するタッチパネル部分がユーザにより押下されることを、単に「ボタンが押下される」と表現する。
【０１４３】
ボタン１９０２が押下された場合、制御部２０７は、ポップアップで再生したディジタルデータ１５０の対象地点情報５０６に格納されているメインコンテンツデータ（つまりメイン画像データ１１０４、ＴＴＳ言語データ１１０５、圧縮音声データ１１０６、ビデオデータ１１０８）を再生する。ただし、制御部２０７は、車載器２００を搭載している車両が走行中でなければ再生を許可し、走行中である場合には再生を許可しないこととする。制御部２０７は、速度センサ、走行距離センサ、方向センサ、ブレーキセンサ等のセンサ群２２５からの検出信号から、車両が走行中か否かを判断すればよい。制御部２０７は、車両が走行中の場合、ボタン１９０２を表示させないか、あるいはボタン１９０２をグレーで表示し、ユーザによる押下を受け付けないようにする。なお、メインコンテンツデータは、メイン画像データ１１０４、ＴＴＳ言語データ１１０５、圧縮音声データ１１０６、ビデオデータ１１０８のすべてを有する場合もあるが、これらのうちの１つのみを有する場合や、これらのうち２つ以上を有する場合もある。
【０１４４】
また、ボタン１９０３が押下された場合、制御部２０７は、ボタン１９０３が押下されたときにポップアップ表示していたディジタルデータ１５０からサービス事業者コード６０１と、情報コード７０４（識別符号）とを読み出し、読み出したこれらの情報を、お気に入りグループに追加するディジタルデータ１５０のインデックス（以下、インデックス情報という。）として、記憶装置２０６に記憶させる。制御部２０７は、このように記憶したインデックス情報に基づいて、お気に入りグループに属するディジタルデータ１５０のリストを表示させることができる。そして、ユーザにより所望のディジタルデータ１５０が選択されると、制御部２０７は、選択されたディジタルデータ１５０の再生を開始する。
【０１４５】
また、ボタン１９０４が押下された場合、制御部２０７は、ポップアップで再生したディジタルデータ１５０に格納されている対象地点座標１１０１で示される位置を、目的地あるいは経由地に設定する。ただし、ディジタルデータ１５０に対象地点座標１１０１が格納されていない場合、制御部２０７は、ボタン１９０４を表示させないか、あるいはボタン１９０４をグレーで表示し、ユーザによる押下を受け付けないようにする。
【０１４６】
次に、遷移情報５０８の詳細について、図１３等を用いて説明する。
【０１４７】
次再生情報コード１３０１は、車載器２００が対象地点情報５０６に格納される画像データ等を再生しているとき、ユーザが次に再生を指示することができるディジタルデータ１５０を指定する情報であり、コンテンツ情報５０２の情報コード７０４に用いられる識別符号で表現される。本実施形態では、１つのディジタルデータ１５０は、最大で８個の次再生情報コード１３０１を格納することができる。ただし、７個以下、あるいは、９個以上の次再生コード１３０１を指定できる実施形態を採用することもできることは言うまでもない。
【０１４８】
図２０（ａ）〜（ｃ）、図２１（ａ）〜（ｃ）、及び、図２２（ａ），（ｂ）は、記憶装置２０６に予め格納された画像データに基づいて制御部２０７が生成した画像データや、ディジタルデータ１５０に格納されている画像データを、制御部２０７が再生してモニターに表示したときの画面の構成例である。本例は、あるレストランが提供するディジタルコンテンツを再生したときの画面遷移を表している。例えばディジタルコンテンツは、Ｎ個のディジタルデータ１５０（第１ディジタルデータ、第２ディジタルデータ、第３のディジタルデータ、…、第Ｎディジタルデータ）から構成される。これらの図を使って、画面遷移について説明する。
【０１４９】
ユーザによるディジタルコンテンツの再生開始の指示があると、制御部２０７は、まず、最初に再生することが予め指定されている画像データ等を再生する。例えば図２０（ａ）に示すように、制御部２０７は、カーナビゲーションシステムを起動するか、あるいは、ＤＳＲＣを使った情報提供システム（以下、単に「ＤＳＲＣシステム」と呼ぶ）を起動するか、の選択を受け付ける車載器トップ画面を表示させる。車載器トップ画面用の画像データや音声データ等は記憶装置２０６に予め記憶されている。なお、車載器２００がカーナビゲーションシステムを備えていない実施形態を採用するのであれば、車載器トップ画面をスキップし、後述する図２０（ｂ）の画面を最初に表示してもよい。
【０１５０】
図２０（ａ）において、ＤＳＲＣシステムを起動する旨の指示入力をユーザから受け付けた場合、制御部２０７は、図２０（ｂ）に示すように、ＤＳＲＣシステムのメインメニューに画面を遷移させる。ここで再生される画像データや音声データ等は記憶装置２０６に予め記憶されている。この画面からは、例えば、ＤＳＲＣシステムの初期設定等を行うためのセットアップ画面、リアルタイムで路側無線装置１００から配信される交通情報を取得する画面、ショップから提供されるディジタルコンテンツを視聴する画面（エンターテイメント）、などに遷移できる。なお、カーナビゲーションシステムを起動する旨の指示入力を受け付けた場合、制御部２０７は、カーナビゲーション用の画面に遷移させるが、これ以降の画面遷移の詳細については省略する。
【０１５１】
図２０（ｂ）において、“エンターテイメント”が選択されると、制御部２０７は、図２０（ｃ）に示すように、サービス事業者の選択をユーザから受け付ける画面に遷移させる。ここで再生される画像データや音声データ等は記憶装置２０６に予め記憶されている。例えば、ユーザが予め契約したサービス事業者の一覧が表示される。なお、制御部２０７は、ユーザが未契約のサービス事業者を、契約済みのサービス事業者との区別を明瞭にした上で合わせて表示させ、未契約のサービス事業者が選択された場合、契約手続き画面に遷移させるようにしてもよい。
【０１５２】
図２０（ｃ）において、いずれかのサービス事業者が選択されると、制御部２０７は、図２１（ａ）に示すように、選択されたサービス事業者のトップメニューの画面データをメイン画像データ１１０４に格納している第１ディジタルデータを再生する。例えば、トップメニューからは、サービス事業者Ａと提携しているショップのページに遷移可能である。第１ディジタルデータの次再生情報コード１３０１には、例えばそれぞれのショップのトップページを構成するディジタルデータ１５０を指定する識別符号など、最大で８個の遷移先のディジタルデータ１５０を指定する識別符号が格納される。
【０１５３】
制御部２０７は、それぞれのページに画面を遷移させるためのボタン２１０１，２１０２，２１０３を出力部２０３に表示させる。例えば、ボタン２１０１，２１０２，２１０３のいずれかが押下されると、制御部２０７は、押下されたボタンに対応付けられたディジタルデータ１５０を再生し、画面を遷移する。また、制御部２０７は、ディジタルコンテンツの再生を終了する旨の指示入力を受け付けるボタン２１０９を表示させる。ボタン２１０９が押下されると、制御部２０７は、ディジタルデータ１５０の再生を終了する。
【０１５４】
また、制御部２０７は、上述したように、ディジタルデータ１５０に対象地点情報５０６の対象地点座標１１０１が格納されている場合、対象地点座標１１０１をカーナビゲーションシステムによる道案内の目的地あるいは経由地に設定することができる。例えば、対象地点座標１１０１で示される位置をカーナビゲーションシステムによる道案内の目的地あるいは経由地に設定するためのボタン２１１０が押下された場合、制御部２０７は、対象地点座標１１０１で示される位置を目的地あるいは経由地に設定する。
【０１５５】
また、制御部２０７は、再生中の画面を後でユーザがすぐに再生できるように、お気に入りグループに追加するためのボタン２１１１を表示させてもよい。
【０１５６】
すなわち、制御部２０７は、ボタン２１１１が押下されたときに再生していたディジタルデータ１５０からサービス事業者コード６０１と、情報コード７０４（識別符号）とを読み出し、読み出したこれらの情報を、インデックス情報として、記憶装置２０６に記憶させる。制御部２０７は、このように記憶したインデックス情報に基づいて、お気に入りグループに属するディジタルデータ１５０のリストを表示させることができる。そして、ユーザにより所望のディジタルデータ１５０が選択されると、制御部２０７は、選択されたディジタルデータ１５０の再生を開始する。このようにお気に入りグループに追加することで、ユーザは、所望の画面を後で容易に視聴することができる。
【０１５７】
図２１（ａ）において、例えばボタン２１０２が押下されると、制御部２０７は、“ショップ××”ページのディジタルデータ１５０（第２ディジタルデータ）を再生して、図２１（ｂ）に示すような“お食事メニュー”ページに画面を遷移する。
【０１５８】
第２ディジタルデータの次再生情報コード１３０１には、例えば“本日のおすすめ”ページのディジタルデータ１５０を指定する識別符号、“麺類”ページのディジタルデータ１５０を指定する識別符号、（以下同様）など、最大で８個の遷移先のディジタルデータ１５０を指定する識別符号が格納される。ボタン２１０１乃至２１０８には、“本日のおすすめ”ページのディジタルデータ１５０を指定する識別符号、“麺類”ページのディジタルデータ１５０を指定する識別符号、（以下同様）など、次再生情報コード１３０１に指定された識別符号がそれぞれ新しく対応付けられる。
【０１５９】
図２１（ａ）の画面から図２１（ｂ）の画面に遷移させる際、選択されたショップのディジタルコンテンツを構成するディジタルデータ１５０の中に、ＴＴＳ言語データ１１０５と圧縮音声データ１１０６と音声再生順１１０７とが格納されているディジタルデータ１５０（典型的には選択されたショップのトップ画面に対応するディジタルデータ１５０）が存在する場合、制御部２０７は、画面を遷移させるとともに、音声をスピーカから出力させる。例えば、圧縮音声データ１１０６にショップのジングルが格納され、ＴＴＳ言語データ１１０５にショップの名前等を発音する音声が格納され、音声再生順１１０７には圧縮音声データ１１０６、ＴＴＳ言語データ１１０５の順に再生する旨の情報が格納されているとする。この場合、制御部２０７は、まずショップのジングルを再生し、その後、ショップの名前を発音する音声を再生する。なお、制御部２０７は、図２１（ａ）や図２１（ｂ）の画面のディジタルデータ１５０に限らず、任意のディジタルデータ１５０について、画面の遷移とともに音声を再生することができる。
【０１６０】
図２１（ｂ）において、例えばボタン２１０３が押下されると、制御部２０７は、“定食”ページのディジタルデータ１５０（第３ディジタルデータ）を再生して、図２２（ａ）に示すような“定食”ページに画面を遷移する。
【０１６１】
第３ディジタルデータには、例えば“○○定食”ページのディジタルデータ１５０を指定する識別符号、“××定食”ページのディジタルデータ１５０を指定する識別符号、…（以下同様）、など６個の識別符号が格納されている。そして、ボタン２１０１乃至２１０５には、“○○定食”ページのディジタルデータ１５０を指定する識別符号、“××定食”ページのディジタルデータ１５０を指定する識別符号、（以下同様）が新しく対応付けられる。
【０１６２】
図２２（ａ）において、例えばボタン２１０５が押下されると、制御部２０７は、“サラダ・ドリンク付き”ページのディジタルデータ１５０（第４ディジタルデータ）を再生して、図２２（ｂ）に示すような“サラダ・ドリンク付き”ページに画面を遷移する。
【０１６３】
第４ディジタルデータには、例えば“○○定食”ページのディジタルデータ１５０を指定する識別符号など、４個の識別符号が格納されている。そして、ボタン２１０１乃至２１０４には、“○○定食”ページのディジタルデータ１５０を指定する識別符号などが新しく対応付けられる。つまり、“○○定食”ページには、図２２（ａ）に示す画面からたどり着くこともできるし、図２２（ｂ）に示す画面からたどり着くこともできる。
【０１６４】
なお、図２１（ａ）に示すようなサービス事業者のトップページは、各ショップのトップ画面にリンクするページに限定されない。例えば、ショップ毎に分類せず、図２２（ｂ）に示すようなショップ内の任意のディジタルデータ１５０に直接リンクするページであってもよい。また、各ショップのトップページへのリンクと、個別のディジタルデータ１５０のページへのリンクとが混在する画面でもよい。
【０１６５】
例えば、サービス事業者が、ショップ（テナント）が入っていないデパートである場合、図２１（ｂ）に示すショップの選択画面を省略し、図２０（ｃ）に示すサービス事業者選択ページから図２１（ｂ）に示すようなページに遷移させればよい。この場合、図２１（ｂ）において、“ショップ”のトップページを、“サービス事業者”のトップページに置き換えればよい。
【０１６６】
例えば、サービス事業者が、ショップが入っていて且つ自らも商品・役務を提供するようなショッピングセンターである場合、図２１（ａ）に示すサービス事業者のトップページには、サービス事業者自らが提供するページのディジタルデータ１５０へのリンクと、ショップが提供するディジタルデータ１５０へのリンクの両方を含めることができる。
【０１６７】
このように、次再生情報コード１３０１を用いれば、ディジタルコンテンツを構成する複数のディジタルデータ１５０の間で複雑に入り組んだ関連性を保ちつつ、ユーザが視聴したページに簡単にたどり着けるように構成することができる。
【０１６８】
本実施形態では、遷移先のディジタルデータ１５０を指定する識別符号が対応付けられていないボタンは表示されない。ただし、遷移先のディジタルデータ１５０を指定する識別符号が対応付けられている他のボタンとの視覚的な区別が容易な程度に、例えばグレーや影付きで表示することとしてもよい。
【０１６９】
遷移情報５０８を設定することによって、複数のディジタルデータ１５０から構成されるディジタルコンテンツにおいて、ショップの意図通りに画面を遷移させることができる。また、ユーザは自分の見たいページまで簡単にたどり着けるようになり好都合である。
遷移情報５０８は、分岐型の画面遷移を実現するために好適である。
【０１７０】
次に、詳細情報５０９の詳細について、図１４を用いて説明する。
【０１７１】
詳細情報５０９は、ディジタルコンテンツが複数のディジタルデータ１５０から構成される場合、もしくは、記憶装置２０６に複数のディジタルデータ１５０が記憶されている場合、ユーザがいち早く所望のページを探し出せるように、検索を容易にするための情報である。本実施形態では、最大で８個の詳細情報５０９を設定することができる。ただし、７箇所以下、あるいは、９箇所以上の詳細情報５０９を指定できる実施形態を採用することもできることは言うまでもない。
【０１７２】
詳細情報データ１４０１は、ディジタルデータ１５０の内容を端的に表現するキーワードを格納する。キーワードは、任意の文字、数字、記号等を用いて設定される。１つのキーワードは、長くても全角２０文字程度に収めることが望ましい。
【０１７３】
詳細情報表示用文字列１４０２は、上記キーワードをモニターに表示するときに用いる文字列データである。
【０１７４】
詳細情報発話用表音文字列１４０３は、上記キーワードを音声で出力するときに用いる発話用ＴＴＳデータである。
【０１７５】
詳細情報５０９を設定することによって、ユーザは自分の見たいページを簡単に探し出せるようになり好都合である。詳細情報５０９は、串刺し型の画面遷移を実現するために好適である。例えば、車載器２００の電源を投入したときのトップページ等に検索ボタンを設け、ユーザから任意の文字列等の入力を受け付ける。車載器２００は、受け付けた文字列等と一致するキーワードが詳細情報５０９に格納されているディジタルデータ１５０を検索してリスト表示する。リスト表示されたページの中からいずれかがユーザにより選択されると、車載器２００は、選択されたページにジャンプする。
【０１７６】
本実施形態では１つのディジタルデータ１５０につき８個の詳細情報５０９を格納できるので、８個のキーワードを設定することが可能である。しかし、詳細情報データ１４０１の記載形式を工夫することで、更に多くのキーワードを設定することもできる。
【０１７７】
例えば、詳細情報データ１４０１に、キーワードの区切りを表す所定の記号（例えば“＿”）を挟んで、「和食＿わしょく＿わしよく」のような形式でキーワードを設定する。制御部２０７は、所定の記号が含まれる場合、その記号の位置がキーワードの切れ目であると判断し、複数のキーワードが設定されているものとみなす。この例では、制御部２０７は、“和食”と“わしょく”と“わしよく”のすべてがキーワードとなる。このように、いわゆるあいまい検索も可能である。
【０１７８】
例えば、詳細情報データ１４０１にキーワード“クーポン”を設定したディジタルデータ１５０と、設定していないディジタルデータ１５０とを配信する。車載器２００の制御部２０７は、ユーザの指示により、キーワード“クーポン”が設定されているディジタルデータ１５０のみを抽出してモニターに表示させることができる。
【０１７９】
なお、詳細情報データ１４０１のデータ領域として、所定のｎビット（ｎは１以上の整数）を確保し、それぞれのビットに所定のキーワードを予め対応付けておき、それぞれのビットのＯＮ／ＯＦＦでキーワードを設定するようにしてもよい。例えば、「クーポン」と「新着」と「更新」の３つのキーワードに１ビットずつ割り当てておき、それぞれのビットを１又は０にセットする。ビットの値が“１０１”であれば、キーワード「クーポン」と「更新」が設定されていることと実質的に同じになる。
【０１８０】
次に、駐車場情報５１０の詳細について、図１５を用いて説明する。
【０１８１】
駐車場情報５１０は、ショップの近くに存在する駐車場を案内するための駐車場データを格納する。本実施形態の情報提供装置（車載器２００）は自動車等の車両に搭載されるため、ユーザがショップに立ち寄る（ユーザにショップへ立ち寄ってもらう）ためには駐車場に関する情報が重要である。
【０１８２】
駐車場ＩＤ１５０１は、駐車場ごとにユニークに割り当てられた記号、番号である。
【０１８３】
駐車場詳細情報１５０２は、駐車場ＩＤ１５０１が示す駐車場に関する詳しい情報を格納する。駐車場の名称や座標等の静的情報は、駐車場ＩＤ１５０１と共に、車載器２００の記憶装置２０６に地図データベースとして保存されている。一方、満空情報や料金の割引情報、予約の可否、営業時間等の動的情報が、駐車場詳細情報１５０２として格納されている。
【０１８４】
駐車場特記事項１５０３は、駐車場詳細情報１５０２のほかに追加すべき情報がある場合に設定される。駐車場特記事項１５０３には、「本日お祭り開催のため混雑が予想されます」などといったような駐車場詳細情報１５０１で表現できない内容を記載できる。
【０１８５】
駐車場情報発話用表音文字列１５０４は、駐車場詳細情報１５０２及び／又は駐車場特記事項１５０３を音声で出力するときに用いる発話用ＴＴＳデータである。
【０１８６】
１組の駐車場ＩＤ１５０１、駐車場詳細情報１５０２、駐車場特記事項１５０３、駐車場情報発話用表音文字列１５０４が、１つの駐車場に割り当てられる。本実施形態では、最大で１２７箇所の駐車場情報を提供できる。ただし、１２６箇所以下、あるいは、１２８箇所以上の駐車場情報を指定できる実施形態を採用することもできることは言うまでもない。
【０１８７】
記憶装置２０６は、駐車場ＩＤと、駐車場の場所（緯度・経度）を示す情報とを対応付けて予め記憶する。制御部２０７は、この記憶装置２０６に記憶された情報から、駐車場ＩＤ１５０１が示す駐車場の位置を取得できる。制御部２０７は、取得した駐車場の位置を、ユーザの指示により、カーナビゲーションにおける目的地あるいは経由地に設定することができる。
【０１８８】
次に、運転支援情報５１１の詳細について、図１６を用いて説明する。
【０１８９】
駐車場の位置は緯度・経度を用いて表現されるため、２次元マップを用いてナビゲーションを行うと、モニターには駐車場のある場所が平面的に表示される。しかし、地下駐車場や立体駐車場の場合には、緯度・経度だけでは充分に場所を案内できない可能性がある。運転支援情報５１１は、駐車場付近を運転する際の補助となる情報である。運転支援情報５１１が格納されるディジタルデータ１５０は、駐車場付近に設置された路側無線装置１００から、表示／保存コード８０１で「表示する」と指定されたディジタルデータ１５０として送信され、制御部２０７は、このディジタルデータ１５０を受信すると、直ちに再生する。
【０１９０】
例えば、駐車場Ｐ１の近くに設置されている路側無線装置１００は、駐車場Ｐ１内の道案内や、駐車場Ｐ１周辺の交通案内（例えば細い路地など視界が良くない場所等における「駐車場はこの先まっすぐ行ったところにあります」といった案内）を運転支援情報５１１に格納しているディジタルデータ１５０を配信する。このディジタルデータ１５０を受信した車載器２００の制御部２０７は、運転支援情報５１１を用いて直ちに注意を促す画像や音声を出力させる。
【０１９１】
運転支援画像データ１６０１は、所定の画像形式、所定の画像サイズ、所定の色数で作成された画像データ本体である。画像形式には、ＪＰＥＧ、ＧＩＦ、ＰＮＧ、ビットマップ、などがある。制御部２０７は、運転支援情報５１１を格納しているディジタルデータ１５０を受信すると、運転支援画像データ１６０１を読み出して表示部２０３にモニターへ表示させる。運転支援画像データ１６０１には、メイン画像データ１１０４と同様に、画像のフォーマットを指定する情報である画像形式識別フラグが含まれる。
【０１９２】
運転支援発話用表音文字列１６０２は、ＴＴＳ形式で作成される発話用の音声のデータ本体である。運転支援発話用表音文字列１６０２には、ＴＴＳ言語データ１１０５と同様に、言語識別フラグと音声形式識別フラグが含まれる。
【０１９３】
運転支援圧縮音声データ１６０３は、所定の圧縮形式で作成された音声のデータ本体である。圧縮形式には、ＩＭＡ−ＡＤＰＣＭ、ＭＰ３、ＡＡＣ、ＣＥＬＰ、ＰＣＭなどがある。運転支援圧縮音声データ１６０３には、圧縮音声データ１１０６と同様に、運転支援圧縮音声データ１６０３のフォーマットを指定する情報である圧縮音声形式識別フラグが含まれる。
【０１９４】
音声再生順１６０４は、音声再生順１１０７と同様に、運転支援情報５１１に音声データとして運転支援発話用表音文字列１６０２と運転支援圧縮音声データ１６０３の両方が含まれている場合、どの順番で再生するかを指定する情報である。
【０１９５】
１組の運転支援画像データ１６０１、運転支援発話用表音文字列１６０２、運転支援圧縮音声データ１６０３、音声再生順１６０４が、１つの運転支援情報となる。
【０１９６】
次に、嗜好情報５１２の詳細について、図１７を用いて説明する。
【０１９７】
嗜好情報５１２は、サービス事業者（配信サーバ３００）がユーザの嗜好する情報を選択して配信するために利用される。嗜好情報５１２は、サービス事業者が配信する情報（ディジタルデータ１５０）を複数項目（例えば、最大１２８項目）に分類して示すデータテーブル（嗜好データテーブル）であり、サービス事業者によって予め決められる。嗜好データテーブルは、サービス事業者によって随時更新可能である。
【０１９８】
配信サーバ３００は、例えば、契約したユーザの車載器２００から初めてアップリンク情報が送信された場合や、初回ではないものの車載器２００からのアップリンク情報に含まれる嗜好情報５１２のバージョン（嗜好情報バージョン１７０１）が異なる（古い）場合等に、嗜好情報５１２を格納しているディジタルデータ１５０を車載器２００に送信する。
【０１９９】
嗜好情報バージョン１７０１は、嗜好情報５１２（即ち、嗜好データテーブル）のバージョンである。サービス事業者は、嗜好データテーブルを更新する際には、嗜好情報バージョン１７０１も更新する。
【０２００】
嗜好情報表示用文字列１７０２は、分類項目に対応する所定の文字列をモニターに表示するときに用いる文字列データである。
【０２０１】
嗜好情報発話用表音文字列１７０３は、分類項目に対応する所定の文字列を音声で出力するときに用いる発話用ＴＴＳデータである。
【０２０２】
嗜好情報表示用ネスト１７０４は、嗜好情報表示用文字列１７０２に格納される文字列を表示する際のネストの深さを示す数値である。
【０２０３】
図２３は、嗜好情報５１２の内容をモニタに表示した際の画面の一例である。例えば、分類項目「暮らし」は、更に「病院」と「ロードサービス」の２つの項目に分類される。この場合、分類項目「病院」のネストは、「暮らし」の２階層目である。仮に、分類項目「暮らし」の嗜好情報表示用ネスト１７０４が“０”であると、分類項目「病院」の嗜好情報表示用ネスト１７０４は“１”となる。
【０２０４】
それぞれの分類項目には、所定の分類コードが予め割り当てられている。例えば、「暮らし」に分類コード＝１、「病院」に分類コード＝２、「小児科」に分類コード＝３、といった具合である。本実施形態では、ディジタルデータ１５０を最大で１２８種類に分類できる。ただし、１２７種類以下、あるいは、１２９種類以上に分類する実施形態を採用することもできることは言うまでもない。
【０２０５】
例えば、ユーザは、図２３に示す画面において、所望の分類項目にチェックマークをつける等して、サービス事業者に配信して欲しい情報を選択することができる。制御部２０７は、その選択結果を嗜好データとして、記憶装置２０６に保存する。また、制御部２０７は、アップリンク情報に更新された嗜好データを格納して、配信サーバ３００に送信する。配信サーバ３００は、受信した嗜好データに基づいて、ディジタルデータ１５０を構築し、当該ユーザ（車載器２００）に配信する。
【０２０６】
また、路側無線装置１００は、車載器２００からアップリンクされた嗜好データを用いて、嗜好データに合致する内容のディジタルデータ１５０のみ抽出して車載器２００に配信してもよい。
【０２０７】
なお、嗜好情報バージョン１７０１に指定されるバージョンが変わった場合、すなわち、嗜好データテーブルのバージョンが変わった場合、制御部２０７は、現在記憶装置２０６に記憶している嗜好データを一時待避させ、新しい嗜好データテーブルを初期値で記憶装置２０６に記憶させた後、一時待避させた嗜好データを上書きして反映させることが望ましい。これにより、ユーザに再び嗜好データを設定し直させるような手間をかけずに済む。
【０２０８】
次に、構成ＩＤ情報５００の詳細について、図１８を用いて説明する。
【０２０９】
構成ＩＤ情報５００は、ディジタルデータ１５０に、上述の事業者情報５０１、コンテンツ情報５０２、再生条件情報５０３、有効期限情報５０４、提供時間情報５０５、対象地点情報５０６、情報提供地点情報５０７、遷移情報５０８、詳細情報５０９、駐車場情報５１０、運転支援情報５１１、及び、嗜好情報５１２の各項目が、それぞれ格納されているか否かを示す情報である。
【０２１０】
本実施形態では、各項目に予め割り当てられているＩＤは２バイトの数値で表現される。構成ＩＤ情報５００には、ディジタルデータ１５０に含まれている項目に対応するＩＤを、数値の小さい順に羅列して格納されている。
【０２１１】
例えば、構成ＩＤ情報５００に、“０１０２０３０４０５１０”が格納されている場合、このディジタルデータ１５０には、事業者情報５０１（ＩＤ＝０１）、コンテンツ情報５０２（ＩＤ＝０２）、再生条件情報５０３（ＩＤ＝０３）、有効期限情報５０４（ＩＤ＝０４）、提供時間情報５０５（ＩＤ＝０５）、及び、対象地点情報５０６（ＩＤ＝１０）が格納されていることを意味する。
【０２１２】
なお、構成ＩＤ情報５００に格納するデータの形式は、この手法に限定されない。例えば、上記１４項目のそれぞれに１ビットずつ割り当て、格納されているのであれば対応するビットを“１”に、格納されていないのであれば対応するビットを“０”にする、といった形式でもよい。
【０２１３】
（アップリンク処理）
次に、車載器２００がローカルに保持している情報を配信サーバ３００にアップリンクする処理について、詳しく説明する。
【０２１４】
配信サーバ３００側にアップリンクされる情報（以下「アップリンク情報」という。）
の内容は様々であるが、典型的には次に例示するような情報を含む。
【０２１５】
（１）車載器２００を搭載した車両の累積走行距離や、過去に立ち寄った地点・地域を示す情報。この「立ち寄る」には、「カーナビゲーションの目的地や経由地に設定される」ことが含まれるほか、「カーナビゲーションの目的地や経由地に設定されたか否かに関わらず車両が通過したことがある」ことが含まれてもよい。
【０２１６】
（２）ユーザによって設定された嗜好データ（ユーザの嗜好を表すデータ）。上述したように、記憶装置２０６にはユーザによって予め設定された嗜好データが記憶されており、制御部２０７は任意のタイミングで嗜好データをアップリンクできる。なお、制御部２０７は、嗜好データがユーザによって設定されたときに用いた分類コード体系のバージョンも記憶装置２０６に格納しておくことが望ましい。
【０２１７】
（３）ユーザがショップあるいはサービス事業者と何らかのサービスの提供を受けることを契約しているか否かを示す会員データ。例えば、ユーザがカード会員か否かで提供価格を変えるガソリンスタンドの場合における、ユーザがカード会員か否かを示す情報などである。なお、契約している場合には、その具体的な契約内容をアップリンク情報に含めることもできる。
【０２１８】
（４）ディジタルデータ１５０の受信履歴や再生履歴。例えば受信履歴には、受信したディジタルデータ１５０ごとに、ディジタルデータ１５０の識別符号と、受信日時あるいは受信場所と、を対応付けた情報が含まれる。例えば再生履歴には、再生したディジタルデータ１５０ごとに、ディジタルデータ１５０の識別符号と、ディジタルデータ１５０の再生日時あるいは再生場所と、を対応付けた情報が含まれる。また、再生履歴には、受信したけれども再生していないディジタルデータ１５０の識別符号を示す情報が含まれていてもよい。
【０２１９】
車載器２００は、上記（１）〜（４）のすべての内容を常に配信サーバ３００にアップリンクする必要はなく、これらのうちの一部、あるいは、これらのほかの情報をアップリンクすることができることは言うまでもない。なお、本実施形態においては、車載器２００が上記（２）及び（３）の内容をアップリンク情報としてアップリンクする実施形態を例にとって説明する。
【０２２０】
図２４は、車載器２００から配信サーバ３００にアップリンク情報をアップリンクする処理の手順を説明するための図である。本図には、アップリンク処理だけでなく、車載器２００の電源が投入された後、車載器２００がＤＳＲＣ通信エリアに入ってから最初のディジタルデータ１５０を受信するまでの処理も含まれる。アップリンク情報は、厳密には、車載器２００から路側無線装置１００にＤＳＲＣにより送信された後、路側無線装置１００から配信サーバ３００にＩＴＳ通信網ＮＷ２を介して送信されるのであるが、本発明内容をより理解しやすいように、路側無線装置１００に関する記載を図面から省略している。
【０２２１】
まず、車載器２００の制御部２０７は、車載器２００がＤＳＲＣ通信エリアの中にあるか否かを判別する（ステップＳ２４０１）。例えば制御部２０７は、通信部２０１が受信したＤＳＲＣ通信用の電波の強度が所定値以上か否かに基づいて判別する。
【０２２２】
ＤＳＲＣ通信エリアの外であると判別された場合（ステップＳ２４０１；ＮＯ）、ステップＳ２４０１の処理を繰り返す。なお、制御部２０７は、ステップＳ２４０１の処理を開始してから所定のタイムアウト時間が経過するまでに、ＤＳＲＣ通信用の電波の強度が所定値以上とならない場合に、ＤＳＲＣ通信エリアの外であると判別してもよい。また、ステップＳ２４０１でＮＯの場合であっても、ステップＳ２４０１の処理を所定のリトライ回数だけ繰り返して実行するように構成してもよい。
【０２２３】
一方、ＤＳＲＣ通信エリアの中であると判別された場合（ステップＳ２４０１；ＹＥＳ）、制御部２０７は、ＤＳＲＣによる路側無線装置１００との通信を経由して、配信サーバ３００に自らの認証を要求する（ステップＳ２４０２）。例えば制御部２０７は、車載器２００の固有番号やユーザ名などを通信部２０１に送信させ、自らが登録済みの（あるいは正規の）製品あるいはユーザであるか否かの認証を行うよう配信サーバ３００に要求する。
【０２２４】
配信サーバ３００の制御部３０６は、車載器２００からの認証要求を受け取り、車載器２００側が予め登録済みの製品あるいはユーザであるか否かの認証を行う（ステップＳ２４０３）。例えば制御部３０６は、記憶装置３０５に予め記憶されている登録済み車載器一覧などを格納するデータベースを参照し、認証要求のあった車載器２００の固有番号やユーザ名がこのデータベースに登録されている固有番号やユーザ名と一致すれば、登録済みの固有番号やユーザ名であると判別し、そうでなければ、未だ登録されていない固有番号やユーザ名であると判別する。
【０２２５】
配信サーバ３００の制御部３０６は、ステップＳ２４０３の認証結果に基づいて、ディジタルデータ１５０の配信を許可するか否かを判別する（ステップＳ２４０４）。
【０２２６】
例えば、配信サーバ３００の制御部３０６は、予め登録されている車載器２００には登録者専用のディジタルデータ１５０の配信のみ許可し、それ以外の車載器２００には未登録者専用のディジタルデータ１５０の配信のみ許可する。
【０２２７】
あるいは、例えば、配信サーバ３００の制御部３０６は、予め登録されている車載器２００にはディジタルデータ１５０の配信を許可し、それ以外の車載器２００にはディジタルデータ１５０の配信を許可しないようにしてもよい。
【０２２８】
認証要求のあった車載器２００側が登録済みの製品あるいはユーザではないと判別された場合（ステップＳ２４０４；ＮＯ）、アップリンク処理を終了する。ただし、配信サーバ３００の制御部３０６は、ステップＳ２４０４でＮＯの場合、認証要求のあった車載器２００側が登録済みの製品あるいはユーザではない旨の認証結果を、第２の通信制御部３０４に車載器２００へ送信させてもよい。
【０２２９】
一方、認証要求のあった車載器２００側が登録済みの製品あるいはユーザであると判別された場合（ステップＳ２４０４；ＹＥＳ）、配信サーバ３００の制御部３０６は、認証要求のあった車載器２００側が登録済みの製品あるいはユーザである旨の認証結果を、第２の通信制御部３０４に車載器２００へ送信させる。車載器２００の通信部２０１は、路側無線装置１００を介して認証結果を受信する。
【０２３０】
なお、制御部３０６は、車載器２００のモニターに表示させる初期画面用の所定のディジタルデータ１５０を配信させてもよい。例えば、初期画面用のディジタルデータ１５０には、図２０（ａ）に示すような車載器トップメニューを表示するために用いる画像データや音声データ等が含まれる。例えば、ステップＳ２４０４での認証結果や、車載器２００の起動回数、アップリンク処理の実行回数、現在の日付、現在の時刻、車載器２００の現在位置、などに応じて初期画面用のディジタルデータ１５０を選択して配信するようにすれば、車載器２００を起動して初めに表示させるいわゆる“Ｗｅｌｃｏｍｅ画面”等を都度変えることができる。
【０２３１】
車載器２００の制御部２０７は、認証結果を受信すると、例えば図２０（ａ）に示すような初期画面を出力部２０３にモニターへ表示させる（ステップＳ２４０５）。
【０２３２】
なお、認証要求のあった車載器２００側が登録済みの製品あるいはユーザであるか否かに関わらず認証結果を送受信する実施形態を採用するのであれば、制御部２０７は認証結果に応じた初期画面を出力部２０３にモニターへ表示させればよい。例えば図２０（ａ）において、制御部２０７は、登録済みである場合には「カーナビ」と「ＤＳＲＣ」のいずれのボタンもユーザが押下できるようにし、登録済みでない場合には「カーナビ」のボタンのみユーザが押下でき「ＤＳＲＣ」のボタンは押下できないようにしてもよい。
【０２３３】
次に車載器２００の制御部２０７は、記憶装置２０６に記憶されている嗜好データと会員データを、路側無線装置１００を介して配信サーバ３００へ通信部２０１に送信させる（ステップＳ２４０６）。
【０２３４】
配信サーバ３００の第２の通信制御部３０４は、嗜好データと会員データを、路側無線装置１００を介して車載器２００から受信する（ステップＳ２４０７）。配信サーバ３００の制御部３０６は、受信した嗜好データと会員データを、車載器２００を識別できる情報と対応付けて記憶装置３０５に記憶させる。
【０２３５】
ここまでの処理がアップリンク処理である。これ以降の処理は、車載器２００に配信すべきディジタルデータ１５０が存在する場合に実行される。
【０２３６】
配信サーバ３００の制御部３０６は、受信した嗜好データと会員データを用いて、車載器２００に配信するディジタルデータ１５０を抽出する（ステップＳ２４０８）。
【０２３７】
すなわち、配信サーバ３００の記憶装置３０５には様々なショップの様々なディジタルデータ１５０が記憶されており、制御部３０６は、車載器２００のそれぞれについて、記憶装置３０５に記憶されているディジタルデータ１５０の中から、ユーザに適していると推測されるディジタルデータ１５０を、嗜好データ及び／又は会員データに基づいて選択する。
【０２３８】
例えば制御部３０６は、記憶装置３０５に記憶されているディジタルデータ１５０の中から、車載器２００に対応付けられた嗜好データが示す嗜好分類と一致する嗜好分類が嗜好データカテゴリ７０７に格納されているディジタルデータ１５０のみを抽出する。
【０２３９】
例えば制御部３０６は、記憶装置３０５に記憶されているディジタルデータ１５０の中から、車載器２００に対応付けられた会員データが示す情報に相応しいキーワードが詳細情報データ１４０１に格納されているディジタルデータ１５０のみを抽出する。
【０２４０】
なお、制御部３０６は、（ａ）嗜好データによって指定された嗜好分類に当てはまり、且つ、会員データによって指定されたディジタルデータ１５０を配信する手法、あるいは、（ｂ）嗜好データによって指定された嗜好分類に当てはまるか、又は、会員データによって指定されるか、の少なくともどちらか一方を満たすディジタルデータ１５０を配信する手法、を採用することもできる。
【０２４１】
配信サーバ３００の制御部３０６は、ステップＳ２４０８で抽出されたディジタルデータ１５０を、路側無線装置１００を介して車載器２００へ第２の通信制御部３０４に送信させる（ステップＳ２４０９）。
【０２４２】
車載器２００の通信部２０１は、ステップＳ２４０８で抽出されたディジタルデータ１５０を、路側無線装置１００を介して受信する（ステップＳ２４１０）。車載器２００の制御部２０７は、受信したディジタルデータ１５０を記憶装置２０６に記憶させる。
【０２４３】
なお、車載器２００の制御部２０７は、受信したディジタルデータ１５０の再生地点情報５０７に設定された再生開始条件が満たされた場合には、ディジタルデータ１５０中のポップアップ用コンテンツデータを再生し、ユーザから再生開始の指示が入力された場合には、ディジタルデータ１５０中のメインコンテンツデータを再生する。
【０２４４】
（再生処理）
次に、車載器２００の各部が協働してディジタルデータ１５０中のメインコンテンツデータを再生する処理について説明する。
【０２４５】
上述したように、制御部２０７は、メインコンテンツデータの再生において、現在表示中のページから遷移可能なページに遷移させるための画面遷移用ボタン２１０１乃至２１０８を表示させる。一方で、上記のアップリンク処理を実行した結果、配信サーバ３００から送信されるディジタルデータ１５０は、嗜好データや会員データによって“フィルタリング”された結果のディジタルデータ１５０である。つまり、ショップ側で画面遷移が可能なように遷移情報５０８を設定していても、車載器２００側はディジタルデータ１５０を未受信であるため画面遷移できない（再生できない）ことも起こりうる。
【０２４６】
例えば、あるショップが提供するディジタルコンテンツが、「洋画」のディジタルデータＤ１と、「邦画」のディジタルデータＤ２と、各ディジタルデータＤ１，Ｄ２にリンクを張ったディジタルデータＤ３と、から構成されているとする。もし、嗜好データに、洋画には興味がある（受信を希望する）が邦画には興味がない（受信を希望しない）旨が設定されていると、この車載器２００は洋画のディジタルデータＤ１を受信し、邦画のディジタルデータＤ２を受信しないことになる。ここで、ユーザがディジタルデータＤ３の再生画面から邦画のディジタルデータＤ２に画面を遷移させようとすると、邦画のディジタルデータＤ２は未受信であるため、このままでは表示できないことになってしまう。本実施形態は、このように未受信のディジタルデータ１５０が存在する場合を想定しつつ、ディジタルデータ１５０を再生することとしている。以下詳述する。
【０２４７】
図２５は、本実施形態の車載器２００の各部が協働して実行する再生処理を説明するためのフローチャートである。
【０２４８】
まず、制御部２０７は、記憶装置２０６に記憶されているディジタルデータ１５０中のメインコンテンツデータの再生を開始する旨の指示入力があるか否かを判別する（ステップＳ２５０１）。例えば制御部２０７は、図２１（ｃ）に示すような画面をモニターに表示し、メインコンテンツデータを再生する旨の指示入力をユーザから受け付けた場合、メインコンテンツデータの再生を開始すると判断する。
【０２４９】
再生を開始しないと判別された場合（ステップＳ２５０１；ＮＯ）、ステップＳ２５０１の処理を繰り返す。一方、再生を開始すると判別された場合（ステップＳ２５０１；ＹＥＳ）、制御部２０７は、再生するディジタルデータ１５０の次再生情報コード１３０１で指定された遷移先のディジタルデータ１５０の中に、未だ受信していないものがあるか否かを判別する（ステップＳ２５０２）。
【０２５０】
すなわち、制御部２０７は、再生が指示されたディジタルデータ１５０の次再生情報コード１３０１に格納されている識別符号のそれぞれについて、識別符号に対応するディジタルデータ１５０が既に記憶装置２０６に保存されているか否かを判別する。
【０２５１】
未だ受信していないものがない場合（ステップＳ２５０２；ＮＯ）、ステップＳ２５０４に進む。一方、未だ受信していないものがある場合（ステップＳ２５０２；ＹＥＳ）、制御部２０７は、次再生情報コード１３０１で指定された遷移先のディジタルデータ１５０の識別符号のうち、既に受信済みのディジタルデータ１５０のみを、遷移を許可するディジタルデータ１５０として決める（ステップＳ２５０３）。
【０２５２】
例えば図２６に示すように、ディジタルコンテンツが複数のディジタルデータ１５０（本図中ではディジタルデータ１５０−１乃至１５０−９の９つ）による階層構造を構成しているとする。矢印は、画面遷移が可能なように設定されるときの、ある画面からある画面へ遷移できる方向を示す。実線の枠で囲んだディジタルデータ１５０は車載器２００が既に受信済みであり、破線の枠で囲んだディジタルデータ１５０は車載器２００が受信していないことを示す。
【０２５３】
例えば、現在“○○物語”ページ（識別符号＝４）に相当するディジタルデータ１５０−４を再生中であるとする。次再生情報コード１３０１には、遷移先のディジタルデータ１５０の識別符号として、ディジタルデータ１５０−５，１５０−６の２つが設定されている。しかし、本図の例ではディジタルデータ１５０−６が未受信である。よって制御部２０７は、ディジタルデータ１５０−５のみを、遷移を許可するディジタルデータ１５０として決める。制御部２０７は、ディジタルデータ１５０−４からディジタルデータ１５０−６への画面遷移を許可しない。
【０２５４】
そして制御部２０７は、再生を指示されたディジタルデータ１５０を再生すると共に、ステップＳ２５０３で遷移を許可すると決めたディジタルデータ１５０に対応する画面遷移用ボタンを表示する（ステップＳ２５０４）。
【０２５５】
例えば“店長オススメ”ページ（識別符号＝２）を表示する場合、ディジタルデータ１５０−２からは、“ドラマ××”ページ（識別符号＝３）と“○○物語”ページ（識別符号＝４）の２つに画面遷移ができるので、制御部２０７は、図２７（ａ）に示すように、メインコンテンツデータの再生画面を、画面遷移用ボタン２１０１，２１０２と共に表示させる。画面遷移用ボタン２１０１にはディジタルデータ１５０−３が、画面遷移用ボタン２１０２にはディジタルデータ１５０−４が、それぞれ対応付けられる。
【０２５６】
図２７（ａ）の画面において、ユーザが画面遷移用ボタン２１０２を押下したとする。もし、ディジタルデータ１５０−５，１５０−６の両方とも受信済みであったと仮定すると、制御部２０７は、図２７（ｂ）に示すように、“懸賞クイズ”ページ（識別符号＝５）に対応する画面遷移用ボタン２１０１と、“クチコミ”ページ（識別符号＝６）に対応する画面遷移用ボタン２１０２の両方を表示させる。
【０２５７】
しかし、ディジタルデータ１５０−６が未受信であった場合、制御部２０７は、図２７（ｃ）に示すように、“懸賞クイズ”ページに対応する画面遷移用ボタン２１０１のみ表示させる。
【０２５８】
なお、ステップＳ２５０４において、制御部２０７は、ステップＳ２５０３で遷移を許可すると決めたディジタルデータ１５０に対応する画面遷移用ボタンのみを表示するのではなく、遷移を許可しないと決めたディジタルデータ１５０に対応する画面遷移用ボタンの色彩・デザイン等を変更した上で、次再生情報コード１３０１に設定されているすべてのディジタルデータ１５０に対応する画面遷移用ボタンを表示することとしてもよい。例えば、遷移を許可しないと決めたディジタルデータ１５０に対応する画面遷移用ボタンをグレーで表示したり斜線付きで表示したりし、且つ、ユーザによる押下を受け付けないようにしてもよい。
【０２５９】
本実施形態によれば、ディジタルコンテンツを構成するすべてのディジタルデータ１５０を受信していない場合、ユーザはどのページのディジタルデータ１５０が未受信であるかを一目で理解できる。すなわち、互いに関連性のあるデータのうち未取得のデータをユーザに明確に認識させることができる。また、未受信のディジタルデータ１５０に対応するページに誤って遷移させようとしてしまうトラブルを防ぐことができる。
【０２６０】
ディジタルデータ１５０が図２６に示すように複数の階層構造である場合には、以上の処理を画面遷移の度に繰り返し実行すればよい。
【０２６１】
（実施形態２）
次に、本発明のその他の実施形態について説明する。上述の実施形態における再生処理では、未取得のディジタルデータ１５０に対応する画面遷移用ボタンを表示しないこととしている。本実施形態は、未取得のディジタルデータ１５０に対応する画面遷移用ボタンの表示形態を変更した上で表示する点で、上述の実施形態と異なる。
【０２６２】
本実施形態では、制御部２０７は、ステップＳ２５０４において、再生を指示されたディジタルデータ１５０を再生すると共に、ステップＳ２５０３で遷移を許可すると決めたディジタルデータ１５０に対応する画面遷移用ボタンを通常表示し、遷移を許可しないと決めたディジタルデータ１５０に対応する画面遷移用ボタンをグレーアウトして表示させる。
【０２６３】
図２８（ａ）は、本実施形態における表示画面の構成例である。例えば、画面遷移用ボタン２１０１に対応する“○○物語”のページのディジタルデータ１５０が取得済みであり、画面遷移用ボタン２１０２に対応する“××ロボット”のページのディジタルデータ１５０が未取得であるとする。制御部２０７は、画面遷移用ボタン２１０１を、取得済みであることを示す所定の表示形式（通常形式）で表示させる。一方、画面遷移用ボタン２１０２を、未取得であることを示す他の所定の表示形式（非通常形式）で表示させる。制御部２０７は、非通常形式では、例えば画面遷移用ボタン２１０２の色を全体的にグレーに変えて表示させる。
【０２６４】
制御部２０７は、遷移を許可しないと決めたディジタルデータ１５０に対応する画面遷移用ボタンについて、ユーザによる押下操作を受け付けない非アクティブ状態とする。
【０２６５】
本実施形態によれば、ディジタルコンテンツを構成するすべてのディジタルデータ１５０を受信していない場合、ユーザはどのページのディジタルデータ１５０が未受信であるかを一目で理解できる。
【０２６６】
（実施形態３）
次に、本発明のその他の実施形態について説明する。本実施形態も、実施形態２と同様、未取得のディジタルデータ１５０に対応する画面遷移用ボタンの表示形態を変更する。
【０２６７】
本実施形態では、制御部２０７は、ステップＳ２５０４において、再生を指示されたディジタルデータ１５０を再生すると共に、ステップＳ２５０３で遷移を許可すると決めたディジタルデータ１５０に対応する画面遷移用ボタンを通常表示し、遷移を許可しないと決めたディジタルデータ１５０に対応する画面遷移用ボタンに斜線を付して表示させる。
【０２６８】
図２８（ｂ）は、本実施形態における表示画面の構成例である。例えば、画面遷移用ボタン２１０１に対応する“○○物語”のページのディジタルデータ１５０が取得済みであり、画面遷移用ボタン２１０２に対応する“××ロボット”のページのディジタルデータ１５０が未取得であるとする。制御部２０７は、画面遷移用ボタン２１０１を、取得済みであることを示す所定の表示形式（通常形式）で表示させる。一方、画面遷移用ボタン２１０２を、未取得であることを示す他の所定の表示形式（非通常形式）で表示させる。制御部２０７は、非通常形式では、例えば画面遷移用ボタン２１０２の背景に斜線を付して表示させる。
【０２６９】
制御部２０７は、遷移を許可しないと決めたディジタルデータ１５０に対応する画面遷移用ボタンについて、ユーザによる押下操作を受け付けない非アクティブ状態とする。
【０２７０】
本実施形態によれば、ディジタルコンテンツを構成するすべてのディジタルデータ１５０を受信していない場合、ユーザはどのページのディジタルデータ１５０が未受信であるかを一目で理解できる。
【０２７１】
（実施形態４）
次に、本発明のその他の実施形態について説明する。上述の実施形態における再生処理では、ディジタルデータ１５０の再生画面を表示する前に、画面遷移する可能性のあるディジタルデータ１５０が受信済みであるか否かをチェックしている。本実施形態は、まずディジタルデータ１５０を再生し、画面遷移の指示があったときに、遷移先のディジタルデータ１５０が受信済みであるか否かをチェックする点で、上述の実施形態と異なる。以下詳述する。
【０２７２】
図２９は、本実施形態の再生処理を説明するためのフローチャートである。
【０２７３】
まず、制御部２０７は、ディジタルデータ１５０の再生を開始するか否かを判別する（ステップＳ２９０１）。例えば制御部２０７は、図２１（ｃ）に示すような画面をモニターに表示し、メインコンテンツデータを再生する旨の指示入力をユーザから受け付けた場合、メインコンテンツデータの再生を開始すると判断する。
【０２７４】
再生を開始しないと判別された場合（ステップＳ２９０１；ＮＯ）、ステップＳ２９０１の処理を繰り返す。一方、再生を開始すると判別された場合（ステップＳ２９０１；ＹＥＳ）、制御部２０７は、ディジタルデータ１５０を再生すると共に、次再生情報コード１３０１に指定されたディジタルデータ１５０に対応する画面遷移用ボタンを表示する（ステップＳ２９０２）。
【０２７５】
次に制御部２０７は、画面遷移用ボタンのいずれかがユーザによって押下されたか否かを判別する（ステップＳ２９０３）。
【０２７６】
画面遷移用ボタンが押下されていない場合（ステップＳ２９０３；ＮＯ）、いずれかの画面遷移用ボタンが押下されるまでステップＳ２９０３の処理を繰り返す。一方、画面遷移用ボタンが押下された場合（ステップＳ２９０３；ＹＥＳ）、制御部２０７は、押下された画面遷移用ボタンに対応付けられているディジタルデータ１５０が受信済みであるか否かを判別する（ステップＳ２９０４）。
【０２７７】
受信済みである場合（ステップＳ２９０４；ＹＥＳ）、ステップＳ２９０７に進む。一方、未だ受信していない場合（ステップＳ２９０４；ＮＯ）、制御部２０７は、遷移先の未受信のディジタルデータ１５０を取得するか否かを判別する（ステップＳ２９０５）。
【０２７８】
例えば制御部２０７は、図３０（ａ）に示すようなダイアログボックス表示し、直ちにディジタルデータ１５０を取得するか否かを指定する指示入力をユーザから受け付け、この指示入力に基づいて、取得するか否かを判別する。
【０２７９】
取得しない旨の指示入力を受け付けた場合、すなわち、未受信のディジタルデータ１５０を取得しないと判別した場合（ステップＳ２９０５；ＮＯ）、再生処理を終了する。一方、取得する旨の指示入力を受け付けた場合、すなわち、未受信のディジタルデータ１５０を取得すると判別した場合（ステップＳ２９０５；ＹＥＳ）、制御部２０７は、配信サーバ３００からディジタルデータ１５０を取得する（ステップＳ２９０６）。
【０２８０】
より詳細には、制御部２０７は、未受信のディジタルデータ１５０を車載器２００に送信する旨の要求を、路側無線装置１００を介して配信サーバ３００へ通信部２０１に送信させる。この要求を受け付けた配信サーバ３００の制御部３０６は、要求されたディジタルデータ１５０を、路側無線装置１００を介して車載器２００へ第２の通信制御部３０４に送信させる。制御部２０７はディジタルデータ１５０を受信する。
【０２８１】
また、車載器２００の制御部２０７と配信サーバ３００の制御部３０６は、上述のアップリンク処理を実行し、要求されたディジタルデータ１５０を受信するように更新した嗜好データあるいは会員データをアップリンクする（ステップＳ２９０７）。
【０２８２】
そして、制御部２０７は、遷移先のディジタルデータ１５０を再生すると共に、次再生情報コード１３０１に指定されたディジタルデータ１５０に対応する画面遷移用ボタンを表示する（ステップＳ２９０８）。
【０２８３】
本実施形態によれば、ディジタルコンテンツを構成するすべてのディジタルデータ１５０を受信していない場合であっても、車載器２００は適宜ディジタルデータ１５０を取得して再生することができる。例えば嗜好データや会員データに基づいてディジタルデータ１５０が“ふるい分け”された結果、未受信のディジタルデータ１５０が存在していても、適宜取得して再生することができる。よって、記憶装置２０６に記憶させるディジタルデータ１５０のデータ量を必要最小限にとどめることができる。
【０２８４】
なお、ステップＳ２９０５において、制御部２０７は、図３０（ｂ）に示すようなダイアログボックスを表示させてユーザに未受信であることを通知した後、再生処理を終了するか、あるいはステップＳ２９０３に戻るように構成してもよい。
【０２８５】
上記各実施形態はあくまでも説明のためのものであり、本願発明の範囲を限定するものではない。例えば、車載器２００を装置の全部又は一部として動作させるためのコンピュータプログラムを、メモリカード、ＣＤ−ＲＯＭ、ＤＶＤ、ＭＯ（Magneto Optical Disk）などのコンピュータ読み取り可能な記録媒体に格納して配布し、これを別のコンピュータにインストールし、車載器２００として動作させ、あるいは、車載器２００が行う工程を実行させてもよい。さらに、インターネット上のサーバ装置が有するディスク装置等にプログラムを格納しておき、例えば、搬送波に重畳させて、コンピュータにダウンロード等するものとしてもよい。
【０２８６】
以上説明したように、本発明によれば、互いに関連性のあるデータのうち未取得のデータをユーザに明確に認識させるために好適な情報提供装置、情報提供方法、及びプログラムを提供することができる。
【符号の説明】
【０２８７】
１００  路側無線装置
１０１  無線通信部
１０２  通信制御部
１０３  記憶装置
１０４  制御部
１０５  ＲＯＭ
１０６  ＲＡＭ
１０７  システムバス
１５０  ディジタルデータ
２００  車載器
２０１  通信部
２０１ａ  ＧＰＳモジュール
２０１ｂ  ＤＳＲＣモジュール
２０２  音声処理部
２０３  出力部
２０４  操作部
２０５  Ｉ／Ｏ装置
２０６  記憶装置
２０７  制御部
２０８  ＲＯＭ
２０９  ＲＡＭ
２１０  システムバス
２２５  センサ群
３００  配信サーバ
３０１  入力部
３０２  出力部
３０３  第１の通信制御部
３０４  第２の通信制御部
３０５  記憶部
３０６  制御部
３０７  ＲＯＭ
３０８  ＲＡＭ
【図１】
0005429340.tif 000002
【図２】
0005429340.tif 000003
【図３】
0005429340.tif 000004
【図４】
0005429340.tif 000005
【図５】
0005429340.tif 000006
【図６】
0005429340.tif 000007
【図７】
0005429340.tif 000008
【図８】
0005429340.tif 000009
【図９】
0005429340.tif 000010
【図１０】
0005429340.tif 000011
【図１１】
0005429340.tif 000012
【図１２】
0005429340.tif 000013
【図１３】
0005429340.tif 000014
【図１４】
0005429340.tif 000015
【図１５】
0005429340.tif 000016
【図１６】
0005429340.tif 000017
【図１７】
0005429340.tif 000018
【図１８】
0005429340.tif 000019
【図１９】
0005429340.tif 000020
【図２０】
0005429340.tif 000021
【図２１】
0005429340.tif 000022
【図２２】
0005429340.tif 000023
【図２３】
0005429340.tif 000024
【図２４】
0005429340.tif 000025
【図２５】
0005429340.tif 000026
【図２６】
0005429340.tif 000027
【図２７】
0005429340.tif 000028
【図２８】
0005429340.tif 000029
【図２９】
0005429340.tif 000030
【図３０】
0005429340.tif 000031